(57)【要約】本願は、位相追従参照信号（ＰＴＲＳ）送信方法及び装置を提供する。方法は、端末デバイスによって、取得されたアップリンクグラント情報及び前もって設定された規則に基づいて、送信されるべきＰＴＲＳと、送信されるべきＰＴＲＳを運ぶアンテナポートとを暗黙的に決定し、アンテナポートはアンテナポートセットから選択され、送信されるべきＰＴＲＳは、全ての利用可能なＰＴＲＳの中の１つ以上である、ことと、送信されるべきＰＴＲＳをアンテナポートに置き、送信されるべきＰＴＲＳを送信することとを含む。この暗黙的指示方法は、エアインターフェイスシグナリングオーバヘッドを有効に減らし、エアインターフェイス効率を改善することができる。
2021503818.tif 000002
【特許請求の範囲】
【請求項１】
位相追従参照信号ＰＴＲＳ送信方法であって、
端末デバイスによってアップリンクグラント情報を取得することと、
前記端末デバイスによって、前記アップリンクグラント情報及び前もって設定された規則に基づいて、送信されるべきＰＴＲＳに関連したアンテナポートを決定することであり、前記送信されるべきＰＴＲＳに関連した前記アンテナポートは、アンテナポートセットから選択され、前記送信されるべきＰＴＲＳは、全ての利用可能なＰＴＲＳの中の１つ以上である、前記決定することと、
前記端末デバイスによって前記送信されるべきＰＴＲＳを送信することと
を有する方法。
【請求項２】
前記端末デバイスが、前記アップリンクグラント情報及び前記前もって設定された規則に基づいて、前記送信されるべきＰＴＲＳ及び該送信されるべきＰＴＲＳに関連した前記アンテナポートを決定する前に、前記端末デバイスは、送信されるべきＰＴＲＳの数を決定する、
請求項１に記載の方法。
【請求項３】
前記アンテナポートセットは、スケジューリングアンテナポートセットである、
請求項１又は２に記載の方法。
【請求項４】
前記アップリンクグラント情報は、プリコーディング符号語情報を有し、
前記前もって設定された規則は、前記プリコーディング符号語情報に対応するプリコーディング符号語の各列と、前記アンテナポートセットの中の各アンテナポートとが、一対一の対応にあり、前記プリコーディング符号語の同じ行の中の非ゼロ要素が位置している列に対応する前記アンテナポートセットの中のアンテナポートが、同じ送信されるべきＰＴＲＳに対応することを有する、
請求項３に記載の方法。
【請求項５】
前記プリコーディング符号語の同じ行の中の非ゼロ要素が位置している前記列は、同じグループに属し、該グループ及び前記送信されるべきＰＴＲＳは、一対一の対応にある、
請求項４に記載の方法。
【請求項６】
前記アップリンクグラント情報は、ランク情報を有し、該ランクの値は、Ｒであり、
前記前もって設定された規則は、送信されるべきＰＴＲＳの数がｍｉｎ（Ｒ，Ｃ）、ｍｉｎ（Ｓ，Ｃ）、又はｍｉｎ（Ｑ，Ｃ）であることであり、
Ｃは、前記端末デバイスによってサポートされるＰＴＲＳの最大数、又は前記端末デバイスに対してネットワークデバイスによって設定されるＰＴＲＳの最大数であり、Ｓは、Ｒが与えられるときに前記端末デバイスによってサポートされるＰＴＲＳの最小数であり、Ｑは、Ｒが与えられるときに前記端末デバイスによってサポートされるＰＴＲＳの最大数であり、Ｃ、Ｒ、Ｓ及びＱは、正の整数である、
請求項１に記載の方法。
【請求項７】
全ての前記利用可能なＰＴＲＳの中のいずれのＰＴＲＳも、前記アンテナポートセットの中の２つ以上のアンテナポートに対応する、
請求項１乃至６のうちいずれか一項に記載の方法。
【請求項８】
全ての前記利用可能なＰＴＲＳの中のいずれのＰＴＲＳも前記アンテナポートセットの中の２つ以上のアンテナポートに対応するという対応方法は、上位レイヤシグナリング又はダウンリンク制御シグナリングを使用することによって通知されるか、あるいは、前もって設定される、
請求項１乃至７のうちいずれか一項に記載の方法。
【請求項９】
いずれかの前記ＰＴＲＳを送信するよう構成される、いずれかの前記ＰＴＲＳに対応する前記アンテナポートセットの中のアンテナポートは、上位レイヤシグナリング又は前記ダウンリンク制御シグナリングを使用することによって通知されるか、あるいは、前もって設定される、
請求項１乃至８のうちいずれか一項に記載の方法。
【請求項１０】
前記前もって設定された規則は、上位レイヤシグナリング又はダウンリンク制御シグナリングを使用することによって通知されるか、あるいは、前もって設定される、
請求項１乃至９のうちいずれか一項に記載の方法。
【請求項１１】
前記端末デバイスが前記アップリンクグラント情報を取得する前に、前記端末デバイスは、前記ネットワークデバイスに対して、全ての前記利用可能なＰＴＲＳと前記アンテナポートセットの中のアンテナポートとの間の対応を送る、
請求項１乃至１０のうちいずれか一項に記載の方法。
【請求項１２】
前記アップリンクグラント情報は、Ｘ個のビットを有し、該Ｘ個のビットは、Ｘ個の送信されるべきＰＴＲＳに関連したアンテナポートの番号を示すために使用される、
請求項１乃至１１のうちいずれか一項に記載の方法。
【請求項１３】
前記Ｘビットの中のいずれのビットも、１つの送信されるべきＰＴＲＳのアンテナポートの番号を示すために使用され、前記１つの送信されるべきＰＴＲＳは、２つのアンテナポートに対応し、前記いずれのビットについても、０の値が前記２つのアンテナポートのうちの一方を示し、１の値が前記２つのアンテナポートのうちの他方を示す、
請求項１２に記載の方法。
【請求項１４】
Ｘ＝１２である、
請求項１２又は１３に記載の方法。
【請求項１５】
前記端末デバイスによって前記送信されるべきＰＴＲＳを送信することは、前記端末デバイスによって前記送信されるべきＰＴＲＳを、該送信されるべきＰＴＲＳに関連した前記アンテナポートに置くことである、
請求項１乃至１４のうちいずれか一項に記載の方法。
【請求項１６】
前記アンテナポートセットは、少なくとも４つのアンテナポートを有する、
請求項１乃至１５のうちいずれか一項に記載の方法。
【請求項１７】
位相追従参照信号ＰＴＲＳ装置であって、
アップリンクグラント情報を取得するよう構成される取得モジュールと、
前記アップリンクグラント情報及び前もって設定された規則に基づいて、送信されるべきＰＴＲＳに関連したアンテナポートを決定するよう構成される決定モジュールであり、前記送信されるべきＰＴＲＳに関連した前記アンテナポートは、アンテナポートセットから選択され、前記送信されるべきＰＴＲＳは、全ての利用可能なＰＴＲＳの中の１つ以上である、前記決定モジュールと、
前記送信されるべきＰＴＲＳを送信するよう構成される送信モジュールと
を有する装置。
【請求項１８】
前記アップリンクグラント情報及び前記前もって設定された規則に基づいて、前記送信されるべきＰＴＲＳ及び該送信されるべきＰＴＲＳに関連した前記アンテナポートを決定する前に、前記決定モジュールは、送信されるべきＰＴＲＳの数を決定するよう更に構成される、
請求項１７に記載の装置。
【請求項１９】
前記アンテナポートセットは、スケジューリングアンテナポートセットである、
請求項１７又は１８に記載の装置。
【請求項２０】
前記アップリンクグラント情報は、プリコーディング符号語情報を有し、
前記前もって設定された規則は、前記プリコーディング符号語情報に対応するプリコーディング符号語の各列と、前記アンテナポートセットの中の各アンテナポートとが、一対一の対応にあり、前記プリコーディング符号語の同じ行の中の非ゼロ要素が位置している列に対応する前記アンテナポートセットの中のアンテナポートが、同じ送信されるべきＰＴＲＳに対応することを有する、
請求項１８に記載の装置。
【請求項２１】
前記プリコーディング符号語の同じ行の中の非ゼロ要素が位置している前記列は、同じグループに属し、該グループ及び前記送信されるべきＰＴＲＳは、一対一の対応にある、
請求項２０に記載の装置。
【請求項２２】
前記アップリンクグラント情報は、ランク情報を有し、該ランクの値は、Ｒであり、
前記前もって設定された規則は、送信されるべきＰＴＲＳの数がｍｉｎ（Ｒ，Ｃ）、ｍｉｎ（Ｓ，Ｃ）、又はｍｉｎ（Ｑ，Ｃ）であることであり、
Ｃは、当該装置によってサポートされるＰＴＲＳの最大数、又は当該装置に対してネットワークデバイスによって設定されるＰＴＲＳの最大数であり、Ｓは、Ｒが与えられるときに当該装置によってサポートされるＰＴＲＳの最小数であり、Ｑは、Ｒが与えられるときに当該装置によってサポートされるＰＴＲＳの最大数であり、Ｃ、Ｒ、Ｓ及びＱは、正の整数である、
請求項１７に記載の装置。
【請求項２３】
全ての前記利用可能なＰＴＲＳの中のいずれのＰＴＲＳも、前記アンテナポートセットの中の２つ以上のアンテナポートに対応する、
請求項１７乃至２２のうちいずれか一項に記載の装置。
【請求項２４】
全ての前記利用可能なＰＴＲＳの中のいずれのＰＴＲＳも前記アンテナポートセットの中の２つ以上のアンテナポートに対応するという対応方法は、上位レイヤシグナリング又はダウンリンク制御シグナリングを使用することによって通知されるか、あるいは、前もって設定される、
請求項１７乃至２３のうちいずれか一項に記載の装置。
【請求項２５】
いずれかの前記ＰＴＲＳを送信するよう構成される、いずれかの前記ＰＴＲＳに対応する前記アンテナポートセットの中のアンテナポートは、上位レイヤシグナリング又は前記ダウンリンク制御シグナリングを使用することによって通知されるか、あるいは、前もって設定される、
請求項１７乃至２４のうちいずれか一項に記載の装置。
【請求項２６】
前記前もって設定された規則は、上位レイヤシグナリング又はダウンリンク制御シグナリングを使用することによって通知されるか、あるいは、前もって設定される、
請求項１７乃至２５のうちいずれか一項に記載の装置。
【請求項２７】
前記取得モジュールが前記アップリンクグラント情報を取得する前に、前記送信モジュールは、前記ネットワークデバイスに対して、全ての前記利用可能なＰＴＲＳと前記アンテナポートセットの中のアンテナポートとの間の対応を送るよう更に構成される、
請求項１７乃至２６のうちいずれか一項に記載の装置。
【請求項２８】
前記アップリンクグラント情報は、Ｘ個のビットを有し、該Ｘ個のビットは、前記送信されるべきＰＴＲＳに関連した前記アンテナポートの番号を示すために使用される、
請求項１７乃至２７のうちいずれか一項に記載の装置。
【請求項２９】
前記Ｘビットの中のいずれのビットも、１つの送信されるべきＰＴＲＳのアンテナポートの番号を示すために使用され、前記１つの送信されるべきＰＴＲＳは、２つのアンテナポートに対応し、前記いずれのビットについても、０の値が前記２つのアンテナポートのうちの一方を示し、１の値が前記２つのアンテナポートのうちの他方を示す、
請求項２７に記載の装置。
【請求項３０】
Ｘ＝１２である、
請求項２８又は２９に記載の装置。
【請求項３１】
前記送信されるべきＰＴＲＳを送信することは、前記送信モジュールによって前記送信されるべきＰＴＲＳを、該送信されるべきＰＴＲＳに関連した前記アンテナポートに置くことである、
請求項１７乃至３０のうちいずれか一項に記載の装置。
【請求項３２】
前記アンテナポートセットは、少なくとも４つのアンテナポートを有する、
請求項１７乃至３１のうちいずれか一項に記載の装置。
【請求項３３】
位相追従参照信号ＰＴＲＳ送信装置であって、
プロセッサを有し、該プロセッサは、
アップリンクグラント情報を取得し、
前記アップリンクグラント情報及び前もって設定された規則に基づいて、送信されるべきＰＴＲＳに関連したアンテナポートを決定する
よう構成され、
前記送信されるべきＰＴＲＳに関連した前記アンテナポートは、アンテナポートセットから選択され、前記送信されるべきＰＴＲＳは、全ての利用可能なＰＴＲＳの中の１つ以上である、
装置。
【請求項３４】
当該装置は、メモリを更に有し、該メモリは、前記プロセッサに実行されるプログラム命令を記憶するよう構成される、
請求項３３に記載の装置。
【請求項３５】
前記アップリンクグラント情報及び前記前もって設定された規則に基づいて、前記送信されるべきＰＴＲＳ及び該送信されるべきＰＴＲＳに関連した前記アンテナポートを決定する前に、前記プロセッサは、送信されるべきＰＴＲＳの数を決定するよう更に構成される、
請求項３３又は３４に記載の装置。
【請求項３６】
前記アンテナポートセットは、スケジューリングアンテナポートセットである、
請求項３３乃至３５のうちいずれか一項に記載の装置。
【請求項３７】
前記アップリンクグラント情報は、プリコーディング符号語情報を有し、
前記前もって設定された規則は、前記プリコーディング符号語情報に対応するプリコーディング符号語の各列と、前記アンテナポートセットの中の各アンテナポートとが、一対一の対応にあり、前記プリコーディング符号語の同じ行の中の非ゼロ要素が位置している列に対応する前記アンテナポートセットの中のアンテナポートが、同じ送信されるべきＰＴＲＳに対応することを有する、
請求項３６に記載の装置。
【請求項３８】
前記プリコーディング符号語の同じ行の中の非ゼロ要素が位置している前記列は、同じグループに属し、該グループ及び前記送信されるべきＰＴＲＳは、一対一の対応にある、
請求項３５に記載の装置。
【請求項３９】
前記アップリンクグラント情報は、ランク情報を有し、該ランクの値は、Ｒであり、
前記前もって設定された規則は、送信されるべきＰＴＲＳの数がｍｉｎ（Ｒ，Ｃ）、ｍｉｎ（Ｓ，Ｃ）、又はｍｉｎ（Ｑ，Ｃ）であることであり、
Ｃは、前記端末デバイスによってサポートされるＰＴＲＳの最大数、又は前記端末デバイスに対してネットワークデバイスによって設定されるＰＴＲＳの最大数であり、Ｓは、Ｒが与えられるときに前記端末デバイスによってサポートされるＰＴＲＳの最小数であり、Ｑは、Ｒが与えられるときに前記端末デバイスによってサポートされるＰＴＲＳの最大数であり、Ｃ、Ｒ、Ｓ及びＱは、正の整数である、
請求項３３に記載の装置。
【請求項４０】
全ての前記利用可能なＰＴＲＳの中のいずれのＰＴＲＳも、前記アンテナポートセットの中の２つ以上のアンテナポートに対応する、
請求項３３乃至３９のうちいずれか一項に記載の装置。
【請求項４１】
全ての前記利用可能なＰＴＲＳの中のいずれのＰＴＲＳも前記アンテナポートセットの中の２つ以上のアンテナポートに対応するという対応方法は、上位レイヤシグナリング又はダウンリンク制御シグナリングを使用することによって通知されるか、あるいは、前もって設定される、
請求項３３乃至４０のうちいずれか一項に記載の装置。
【請求項４２】
いずれかの前記ＰＴＲＳを送信するよう構成される、いずれかの前記ＰＴＲＳに対応する前記アンテナポートセットの中のアンテナポートは、上位レイヤシグナリング又は前記ダウンリンク制御シグナリングを使用することによって通知されるか、あるいは、前もって設定される、
請求項３３乃至４１のうちいずれか一項に記載の装置。
【請求項４３】
前記前もって設定された規則は、上位レイヤシグナリング又はダウンリンク制御シグナリングを使用することによって通知されるか、あるいは、前もって設定される、
請求項３３乃至４２のうちいずれか一項に記載の装置。
【請求項４４】
前記アップリンクグラント情報を取得する前に、前記プロセッサは、前記ネットワークデバイスに対して、全ての前記利用可能なＰＴＲＳと前記アンテナポートセットの中のアンテナポートとの間の対応を送るよう更に構成される、
請求項３３乃至４３のうちいずれか一項に記載の装置。
【請求項４５】
前記アップリンクグラント情報は、Ｘ個のビットを有し、該Ｘ個のビットは、Ｘ個の送信されるべきＰＴＲＳに関連したアンテナポートの番号を示すために使用される、
請求項３３乃至４４のうちいずれか一項に記載の装置。
【請求項４６】
前記Ｘビットの中のいずれのビットも、１つの送信されるべきＰＴＲＳのアンテナポートの番号を示すために使用され、前記１つの送信されるべきＰＴＲＳは、２つのアンテナポートに対応し、前記いずれのビットについても、０の値が前記２つのアンテナポートのうちの一方を示し、１の値が前記２つのアンテナポートのうちの他方を示す、
請求項４５に記載の装置。
【請求項４７】
Ｘ＝１２である、
請求項４５又は４６に記載の装置。
【請求項４８】
前記アンテナポートセットは、少なくとも４つのアンテナポートを有する、
請求項３３乃至４７のうちいずれか一項に記載の装置。
【請求項４９】
位相追従参照信号ＰＴＲＳ送信装置であって、
アップリンクグラント情報を取得するよう構成される入力インターフェイスと、
前記取得されたアップリンクグラント情報に基づいて請求項１乃至１６のうちいずれか一項に記載の方法を実行して、ＰＴＲＳに関連したアンテナポートを決定するよう構成される論理回路と
前記ＰＴＲＳ信号を出力するよう構成される出力インターフェイスと
を有する装置。
【請求項５０】
請求項３３乃至４９に記載のＰＴＲＳ送信装置と、トランシーバとを有し、
前記トランシーバは、前記送信されるべきＰＴＲＳを送信するよう構成される、
通信デバイス。
【請求項５１】
前記送信されるべきＰＴＲＳを送信することは、前記トランシーバによって前記送信されるべきＰＴＲＳを、該送信されるべきＰＴＲＳに関連したアンテナポートに置くことである、
請求項５０に記載の装置。
【請求項５２】
読み出し可能な記憶媒体と、コンピュータプログラムとを有し、
前記コンピュータプログラムは、請求項１乃至１６のうちいずれか一項に記載のＰＴＲＳ送信方法を実施するために使用される、
読み出し可能な記憶媒体。
【請求項５３】
コンピュータプログラムを有し、
前記コンピュータプログラムは、読み出し可能な記憶媒体に記憶され、位相追従参照信号ＰＴＲＳ送信装置の少なくとも１つのプロセッサは、前記読み出し可能な記憶媒体から前記コンピュータプログラムを読み出すことができ、前記少なくとも１つのプロセッサは、前記ＰＴＲＳ送信装置が請求項１乃至１６のうちいずれか一項に記載のＰＴＲＳ送信方法を実施するように前記コンピュータプログラムを実行する、
プログラム製品。
【請求項５４】
ＰＴＲＳに関連したアンテナポートを決定するよう請求項１乃至１６のうちいずれか一項に記載の方法を実行するよう構成される通信デバイス。
【発明の詳細な説明】
【技術分野】
【０００１】
本願は、通信技術の分野に、特に、位相追従参照信号（phase  tracking  reference  signal，ＰＴＲＳ）送信方法及び装置に関係がある。
【背景技術】
【０００２】
既存の無線通信ネットワーク（例えば、２Ｇ、３Ｇ、又は４Ｇネットワーク、ここで、Ｇはgenerationの略である）において、通信システムの動作周波数帯域は全て、６ＧＨｚを下回る周波数範囲の中にある。この周波数範囲内の利用可能な動作周波数帯域は逼迫しており、高まる通信要件は満足され得ない。他方で、６ＧＨｚを上回る周波数範囲で十分に利用されない多くの周波数帯域が存在する。従って、動作周波数帯域が６ＧＨｚを上回る将来の（例えば、５Ｇ）無線通信ネットワークが、超高速データ通信サービスを提供するために、業界で研究及び開発中である。６ＧＨｚを上回る周波数範囲で、２８ＧＨｚ、３９ＧＨｚ、６０ＧＨｚ、７３ＧＨｚ、などでの周波数帯域は、次世代の無線通信ネットワークのために利用可能である。次世代の無線通信ネットワークの動作周波数帯域は６ＧＨｚを上回るので、次世代無線通信ネットワークは、高い帯域幅及び高集積のアンテナアレイといった高周波通信システムの重要な特徴を備え、比較的に高いスループットは、達成するのが容易である。しかし、既存の無線通信ネットワークと比較して、６ＧＨｚを上回る範囲で動作する次世代の無線通信ネットワークは、中間無線周波数ひずみ、特に、位相ノイズ（phase  noise，ＰＨＮ）によって引き起こされる影響、がより厳しい。その上、ドップラー効果及び中央周波数オフセット（central  frequency  offset，ＣＦＯ）は、周波数帯域が増大するにつれて、高周波通信システムの性能に対してより大きい影響を有する。位相ノイズ、ドップラー効果、及びＣＦＯは、１つの共通点があり、すなわち、位相誤差が高周波通信システムにおけるデータ受信に導入され、従って、高周波通信システムは、性能が低下し、更には動作することができない可能性がある。
【０００３】
一例として位相ノイズを使用すると、周波数帯域の増大に伴って、位相ノイズレベルは２０×ｌｏｇ（ｆ１／ｆ２）ずつ増大する。一例として２Ｇ周波数帯域及び２８Ｇ周波数帯域を使用すると、２８Ｇ周波数帯域の位相ノイズレベルは、２Ｇ周波数帯域のそれよりも２３ｄＢ高い。より高い位相ノイズレベルは、より大きい位相誤差を引き起こし、それから、信号に対してより大きい影響を有する。
【０００４】
参照信号は、既知のパイロット信号が送信端によって加えられる送信されるべき信号であり、受信端は、既知のパイロット信号に関する情報に基づいて特定の機能を実行する。位相ノイズ推定のための最も一般的な方法は、挿入された位相追従参照信号（Phase  Tracking  Reference  Signal，ＰＲＴＳ）を使用することによって位相誤差を推定することである。
【０００５】
位相ノイズの物理的な特徴のために、ＰＴＲＳ設計は、通常、次の特徴を備える。
【０００６】
位相ノイズは時間においてランダムに変化し、コヒーレンス時間は比較的に短い。位相ノイズ参照信号の設計において、コヒーレンス時間は、同じ位相ノイズを有している連続的な直交周波数分割多重化（orthogonal  frequency  division  multiplex，ＯＦＤＭ）シンボルの数と理解され得る。従って、位相ノイズ推定のための参照信号は、通常、比較的に高い時間領域密度を有する必要がある。その上、異なる伝送条件下ではＰＴＲＳの時間領域密度について要件が異なる。
【０００７】
位相ノイズは、局所発振器（略して局所発振器）の非理想性に起因して発生する。同じ局所発振器を有している異なるアンテナポートは、同じ位相ノイズを有する。同じ局所発振器へ物理的に接続されている復調参照信号（demodulation  reference  signal，ＤＭＲＳ）アンテナポートは、同じ位相ノイズを有する。１つのアンテナポートは、１つのＤＲＭＳポートに対応する。従って、ただ１つのＰＴＲＳアンテナポートが、ＰＴＲＳを運ぶために、同じ局所発振器を有している複数のＤＭＲＳアンテナポートのために構成される必要がある。ＤＭＲＳアンテナポートのこのグループでの位相ノイズは、ＰＴＲＳアンテナポートで送信されるＰＴＲＳを使用することによって推定可能である。
【０００８】
通信技術の発展とともに、複数の局所発振器が、アンテナポートセットを形成するために使用されてよい。これは、異なるＰＴＲＳが使用される必要があることを意味する。如何にして適切なＰＴＲＳを選択すべきかは、新しいタスクになる。
【発明の概要】
【０００９】
本願は、位相追従参照信号（phase  tracking  reference  signal，ＰＴＲＳ）送信方法及び装置を提供する。
【００１０】
第１の態様に従って、本願は、
端末デバイスによってアップリンクグラント情報を取得することと、
端末デバイスによって、アップリンクグラント情報及び前もって設定された規則に基づいて、送信されるべきＰＴＲＳ及び該送信されるべきＰＴＲＳを運ぶアンテナポートを決定し、アンテナポートは、アンテナポートセットから選択され、送信されるべきＰＴＲＳは、全ての利用可能なＰＴＲＳの中の１つ以上である、ことと、
端末デバイスによって、送信されるべきＰＴＲＳをアンテナポートに置き、該送信されるべきＰＴＲＳを送信することと
を有する位相追従参照信号ＰＴＲＳ送信方法を提供する。
【００１１】
この態様における方法に従って、送信されるべきＰＴＲＳの数及びＰＴＲＳを運ぶアンテナポートは、前もって設定された規則と、アップリンクグラント情報内の、プリコーディング及び／又はランクのような制御情報とにのみ基づいて、暗黙的に取得され、明示的な指示シグナリングは不要である。これは、制御シグナリングオーバヘッドを有効に減らし、インターフェイス伝送効率を改善する。
【００１２】
可能な設計において、端末デバイスが、アップリンクグラント情報及び前もって設定された規則に基づいて、送信されるべきＰＴＲＳ及び該送信されるべきＰＴＲＳを運ぶアンテナポートを決定する前に、端末デバイスは、送信されるべきＰＴＲＳの数を決定する。
【００１３】
可能な設計において、アンテナポートセットは、スケジューリングアンテナポートセットである。
【００１４】
可能な設計において、アップリンクグラント情報は、プリコーディング符号語情報を含み、
前もって設定された規則は、次を含む：プリコーディング符号語情報に対応するプリコーディング符号語の各列と、アンテナポートセットの中の各アンテナポートとは、一対一の対応にあり、プリコーディング符号語の同じ行の中の非ゼロ要素が位置している列に対応するアンテナポートセットの中のアンテナポートは、同じ送信されるべきＰＴＲＳに対応する。
【００１５】
可能な設計において、プリコーディング符号語の同じ行の中の非ゼロ要素が位置している列は、同じグループに属し、該グループ及び送信されるべきＰＴＲＳは、一対一の対応にある。
【００１６】
可能な設計において、アップリンクグラント情報は、プリコーディング符号語情報を含み、
前もって設定された規則は、次を含む：プリコーディング符号語情報に対応するプリコーディング符号語の各行と、アンテナポートセットの中の各アンテナポートとは、一対一の対応にあり、プリコーディング符号語の同じ行に１よりも多い非ゼロ要素がある場合には、１よりも多い非ゼロ要素の列の中の全ての非ゼロ要素が位置している行に対応する送信アンテナポートは、同じＰＴＲＳに対応する。
【００１７】
可能な設計において、プリコーディング符号語の同じ列の中の非ゼロ要素が位置している行は、同じグループに属し、該グループ及び送信されるべきＰＴＲＳは、一対一の対応にある。
【００１８】
可能な設計において、プリコーディング符号語は、コードブックサブセット制限ＣＢＳＲの中の１つの符号語である。
【００１９】
可能な設計において、アップリンクグラント情報は、ランク情報を含み、ランクの値は、Ｒであり、
前もって設定された規則は、送信されるべきＰＴＲＳの数がｍｉｎ（Ｒ，Ｃ）、ｍｉｎ（Ｓ，Ｃ）、又はｍｉｎ（Ｑ，Ｃ）であることであり、
Ｃは、端末デバイスによってサポートされるＰＴＲＳの最大数、又は端末デバイスに対してネットワークデバイスによって設定されるＰＴＲＳの最大数であり、Ｓは、Ｒが与えられるときに端末デバイスによってサポートされるＰＴＲＳの最小数であり、Ｑは、Ｒが与えられるときに端末デバイスによってサポートされるＰＴＲＳの最大数であり、Ｃ、Ｒ、Ｓ及びＱは、正の整数である。
【００２０】
可能な設計において、全ての利用可能なＰＴＲＳの中のいずれのＰＴＲＳも、アンテナポートセットの中の２つ以上のアンテナポートに対応し、いずれか２つの異なったＰＴＲＳに対応するアンテナポートは、完全に異なる。
【００２１】
可能な設計において、全ての利用可能なＰＴＲＳの中のいずれのＰＴＲＳもアンテナポートセットの中の２つ以上のアンテナポートに対応するという対応方法は、上位レイヤシグナリング又はダウンリンク制御シグナリングを使用することによって通知されるか、あるいは、前もって設定される。
【００２２】
可能な設計において、いずれかのＰＴＲＳを送信するよう構成される、いずれかのＰＴＲＳに対応するアンテナポートセットの中のアンテナポートは、上位レイヤシグナリング又は前記ダウンリンク制御シグナリングを使用することによって通知されるか、あるいは、前もって設定される。
【００２３】
可能な設計において、前もって設定された規則は、上位レイヤシグナリング又はダウンリンク制御シグナリングを使用することによって通知されるか、あるいは、前もって設定される。
【００２４】
可能な設計において、端末デバイスがアップリンクグラント情報を取得する前に、端末デバイスは、ネットワークデバイスに対して、全ての利用可能なＰＴＲＳとアンテナポートセットの中のアンテナポートとの間の対応を送る。
【００２５】
可能な設計において、アップリンクグラント情報は、Ｘ個のビットを有し、Ｘ個のビットは、送信されるべきＰＴＲＳを運ぶアンテナポートの番号又はＰＴＲＳに関連したＤＭＲＳポートの番号を示すために使用される。指示方法は、送信されるべきＰＴＲＳの量が異なる場合に異なる。
【００２６】
可能な設計において、ＰＴＲＳ送信方法は、ハードウェアを使用することによって実施され、例えば、回路又は１つ以上の集積回路を使用することによって実施されてよい。代替的に、ＰＴＲＳ送信方法は、ソフトウェアを使用することによって実施されてもよい。例えば、１つ以上のプロセッサは、メモリに記憶されている命令を読み出すことによってＰＴＲＳ送信方法を実行する。１つ以上のプロセッサは、１つのチップに集積されてよく、あるいは、複数のチップに分配されてよい。代替的に、ＰＴＲＳ送信方法は、ハードウェアとソフトウェアとの組み合わせを使用することによって実施されてもよい。例えば、プロセッサは、メモリに記憶されている命令を読み出すことによって、「送信されるべきＰＴＲＳを決定する」ステップを実行し、一方、「送信されるべきＰＴＲＳを送信する」ステップは、論理回路又はアクセラレータを使用することによって実行される。確かに、具体的な実施中に、当業者は、上記の方法の組み合わせを使用してもよい。
【００２７】
第２の態様に従って、本願は、
アップリンクグラント情報を取得するよう構成される取得モジュールと、
アップリンクグラント情報及び前もって設定された規則に基づいて、送信されるべきＰＴＲＳ及び該送信されるべきＰＴＲＳを運ぶアンテナポートを決定するよう構成され、アンテナポートは、アンテナポートセットから選択され、送信されるべきＰＴＲＳは、全ての利用可能なＰＴＲＳの中の１つ以上である、決定モジュールと、
送信されるべきＰＴＲＳをアンテナポートに起き、該送信されるべきＰＴＲＳを送信するよう構成される送信モジュールと
を有するＰＴＲＳ送信装置を提供する。
【００２８】
可能な設計において、アップリンクグラント情報及び前もって設定された規則に基づいて、送信されるべきＰＴＲＳ及び該送信されるべきＰＴＲＳを運ぶアンテナポートを決定する前に、決定モジュールは、送信されるべきＰＴＲＳの数を決定するよう更に構成される。
【００２９】
可能な設計において、アンテナポートセットは、スケジューリングアンテナポートセットである。
【００３０】
可能な設計において、アップリンクグラント情報は、プリコーディング符号語情報を含み、
前もって設定された規則は、次を含む：プリコーディング符号語情報に対応するプリコーディング符号語の各列と、アンテナポートセットの中の各アンテナポートとは、一対一の対応にあり、プリコーディング符号語の同じ行の中の非ゼロ要素が位置している列に対応するアンテナポートセットの中のアンテナポートは、同じ送信されるべきＰＴＲＳに対応する。
【００３１】
可能な設計において、プリコーディング符号語の同じ行の中の非ゼロ要素が位置している列は、同じグループに属し、該グループ及び送信されるべきＰＴＲＳは、一対一の対応にある。
【００３２】
可能な設計において、アップリンクグラント情報は、プリコーディング符号語情報を含み、
前もって設定された規則は、次を含む：プリコーディング符号語情報に対応するプリコーディング符号語の各行と、アンテナポートセットの中の各アンテナポートとは、一対一の対応にあり、プリコーディング符号語の同じ行に１よりも多い非ゼロ要素がある場合には、１よりも多い非ゼロ要素の列の中の全ての非ゼロ要素が位置している行に対応する送信アンテナポートは、同じＰＴＲＳに対応する。
【００３３】
可能な設計において、プリコーディング符号語の同じ列の中の非ゼロ要素が位置している行は、同じグループに属し、該グループ及び送信されるべきＰＴＲＳは、一対一の対応にある。
【００３４】
可能な設計において、プリコーディング符号語は、コードブックサブセット制限ＣＢＳＲの中の１つの符号語である。
【００３５】
可能な設計において、アップリンクグラント情報は、ランク情報を有し、ランクの値は、Ｒであり、
前もって設定された規則は、送信されるべきＰＴＲＳの数がｍｉｎ（Ｒ，Ｃ）、ｍｉｎ（Ｓ，Ｃ）、又はｍｉｎ（Ｑ，Ｃ）であることであり、
Ｃは、装置によってサポートされるＰＴＲＳの最大数、又は装置に対してネットワークデバイスによって設定されるＰＴＲＳの最大数であり、Ｓは、Ｒが与えられるときに装置によってサポートされるＰＴＲＳの最小数であり、Ｑは、Ｒが与えられるときに装置によってサポートされるＰＴＲＳの最大数であり、Ｃ、Ｒ、Ｓ及びＱは、正の整数である。
【００３６】
可能な設計において、全ての利用可能なＰＴＲＳの中のいずれのＰＴＲＳも、アンテナポートセットの中の２つ以上のアンテナポートに対応し、いずれか２つの異なるＰＴＲＳに対応するアンテナポートは、完全に異なる。
【００３７】
可能な設計において、全ての利用可能なＰＴＲＳの中のいずれのＰＴＲＳもアンテナポートセットの中の２つ以上のアンテナポートに対応するという対応方法は、上位レイヤシグナリング又はダウンリンク制御シグナリングを使用することによって通知されるか、あるいは、前もって設定される。
【００３８】
可能な設計において、いずれかのＰＴＲＳを送信するよう構成される、いずれかのＰＴＲＳに対応するアンテナポートセットの中のアンテナポートは、上位レイヤシグナリング又はダウンリンク制御シグナリングを使用することによって通知されるか、あるいは、前もって設定される。
【００３９】
可能な設計において、前もって設定された規則は、上位レイヤシグナリング又はダウンリンク制御シグナリングを使用することによって通知されるか、あるいは、前もって設定される。
【００４０】
取得モジュールがアップリンクグラント情報を取得する前に、送信モジュールは、ネットワークデバイスに対して、全ての利用可能なＰＴＲＳとアンテナポートセットの中のアンテナポートとの間の対応を送るよう更に構成される。
【００４１】
可能な設計において、アップリンクグラント情報は、Ｘ個のビットを有し、Ｘ個のビットは、送信されるべきＰＴＲＳを運ぶアンテナポートの番号を示すために使用される。指示の方法は、送信されるべきＰＴＲＳの数が異なる場合に異なる。
【００４２】
可能な設計において、装置は、端末デバイスである。
【００４３】
第２の態様及び第２の態様の可能な設計で提供されるＰＴＲＳ送信装置の有利な効果については、第１の態様及び第１の態様の可能な実施における有利な効果を参照されたい。詳細は、ここで再び記載されない。
【００４４】
第３の態様に従って、本願は、
プロセッサを有し、該プロセッサは、メモリ内のプログラム命令を呼び出して、第１の態様及び第１の態様の可能な設計のうちのいずれか１つにおけるＰＴＲＳ送信方法を実行するよう構成される、
ＰＴＲＳ送信装置を提供する。
【００４５】
可能な設計において、装置は、メモリを更に含み、メモリは、プログラム命令を記憶するよう構成される。
【００４６】
メモリは、プロセッサの中に又はプロセッサに外に位置してよい。プロセッサは、端末デバイス又は基地局に組み込まれてよい。
【００４７】
プロセッサは、回路、１つ以上の集積回路、又は１つ以上の専用チップであってよく、あるいは、プロセッサは、汎用のチップであってよい。上記のＰＴＲＳ送信機能は、ＰＴＲＳ送信方法を実施するために使用されるプログラム命令をプロセッサにロードすることによって、実装され得る。代替的に、プロセッサは、回路、集積回路、専用チップ、及び汎用チップの１つ又は組み合わせであってよい。
【００４８】
可能な設計において、装置は、端末デバイスである。
【００４９】
第４の態様に従って、本願は、
アップリンクグラント情報を取得するよう構成される入力インターフェイスと、
取得されたアップリンクグラント情報に基づいて第１の態様及び第１の態様の可能な設計における方法を実行して、送信されるべきＰＴＲＳを取得するよう構成される論理回路と
ＰＴＲＳ信号を出力するよう構成される出力インターフェイスと
を有するＰＴＲＳ送信装置を提供する。
【００５０】
可能な設計において、本願は、端末デバイスである。
【００５１】
第５の態様に従って、本願は、第３の態様及び第３の態様の可能な設計で又は第４の態様及び第４の態様の可能な設計で提供されるＰＴＲＳ送信装置と、トランシーバとを含む通信デバイスを提供する。
【００５２】
トランシーバは、ＰＴＲＳを送信するよう構成される。
【００５３】
第６の態様に従って、本願は、読み出し可能な記憶媒体及びコンピュータプログラムを含み、コンピュータプログラムが、第１の態様及び第１の態様の可能な設計で提供されるＰＴＲＳ送信方法を実施するために使用される、読み出し可能な記憶媒体を提供する。
【００５４】
第７の態様に従って、本願は、プログラム製品を提供し、プログラム製品はコンピュータプログラムを含み、コンピュータプログラムは、読み出し可能な記憶媒体に記憶され、ＰＴＲＳ送信装置の少なくとも１つのプロセッサは、読み出し可能な記憶媒体からコンピュータプログラムを読み出してよく、少なくとも１つのプロセッサは、ＰＴＲＳ送信装置が第１の態様及び第１の態様の可能な設計におけるＰＴＲＳ送信方法を実施するように、コンピュータプログラムを実行する。
【図面の簡単な説明】
【００５５】
【図１（ａ）】本願の実施形態で適用される通信システムの略アーキテクチャ図である。
【図１（ｂ）】本願の実施形態で適用される通信システムの略アーキテクチャ図である。
【図２】ＰＴＲＳアンテナポートとＤＭＲＳアンテナポートとの間の関連性の概略図である。
【図３】本願に従うＰＴＲＳ送信方法の実施形態のフローチャートである。
【図４】本願に従うスケジューリングアンテナポート及び送信アンテナポートの概略図である。
【図５】本願に従うＰＴＲＳ受信方法の略フローチャートである。
【図６】本願の実施形態に従うＰＴＲＳ送信装置の略構造図１である。
【図７】本願の実施形態に従うＰＴＲＳ送信装置の略構造図２である。
【図８】本願の実施形態に従うＰＴＲＳ送信装置の略構造図３である。
【図９】本願の実施形態に従うＰＴＲＳ受信装置の略構造図１である。
【図１０】本願の実施形態に従うＰＴＲＳ受信装置の略構造図２である。
【図１１】本願の実施形態に従うＰＴＲＳ受信装置の略構造図３である。
【発明を実施するための形態】
【００５６】
本願の実施形態は、無線通信システムに適用されてよい。本願の実施形態で言及されている無線通信システムは、制限なしに、ロング・ターム・エボリューション（Long  Term  Evolution，ＬＴＥ）システム及び次世代の５Ｇ移動体通信システムの３つの主な適用シナリオ、すなわち、エンハンスド・モバイル・ブロードバンド（Enhanced  Mobile  Broad  Band，ｅＭＢＢ）、超高信頼低遅延通信（Ultra-Reliable  and  Low  Latency  Communications，ＵＲＬＬＣ）、及び大容量マシンタイプ通信（Massive  Machine-Type  Communications，ｍＭＴＣ）を含む。代替的に、無線通信システムは、デバイス間（Device  to  Device，Ｄ２Ｄ）通信システム、他の通信システム、将来の通信システム、又はそのようなものであってもよい。
【００５７】
本願における通信装置は、通信デバイスにおいて構成されてよく、通信デバイスは、主に、ネットワークデバイス又は端末デバイスを含む。本願における送信端がネットワークデバイスである場合に、受信端は端末デバイスであり、あるいは、本願における送信端が端末デバイスである場合に、受信端はネットワークデバイスである。
【００５８】
本願の実施形態で、図１（ａ）に示されるように、通信システム１００は、ネットワークデバイス１１０及び端末デバイス１１２を含む。無線通信ネットワーク１００がコアネットワークを含む場合に、ネットワークデバイス１１０は更に、コアネットワークへ接続されてよい。ネットワークデバイス１０１は更に、インターネット（Internet）、プライベートＩＰネットワーク、又は他のデータネットワークのようなＩＰネットワーク２００と通信してよい。ネットワークデバイスは、ネットワークデバイスのカバレッジエリア内にある端末デバイスにサービスを提供する。例えば、図１（ａ）を参照すると、ネットワークデバイス１１０は、ネットワークデバイス１１０のカバレッジエリア内の１つ以上の端末デバイスに無線アクセスを提供する。その上、ネットワークデバイス１１０及びネットワークデバイス１２０のようなネットワークデバイスのカバレッジエリアの間には重複エリアが存在することがある。ネットワークデバイスは更に、互いと通信してよい。例えば、ネットワークデバイス１１０は、ネットワークデバイス１２０と通信してもよい。
【００５９】
情報又はデータを送信するときに、ネットワークデバイス１１０及び端末デバイス１１２は両方とも、本願の実施形態で記載されるＰＴＲＳ送信方法を使用することができる。説明しやすくするために、本願のこの実施形態では、通信システム１００は、図１（ｂ）では送信端１０２及び受信端１０１を含むシステムとして簡略化されている。送信端１０２は端末デバイス１１２であり、受信端１０１はネットワークデバイス１１０であってよく、送信端１０２はネットワークデバイス１１０であり、受信端１０１は端末デバイス１１２である。ネットワークデバイス１１０は、端末デバイスと通信するよう構成されたデバイスであってよい。例えば、ネットワークデバイス１１０は、ＬＴＥシステムにおけるエボルブド・ノードＢ（Evolved  NodeB，ｅＮＢ又はｅＮｏｄｅＢ）、５Ｇネットワークにおけるネットワーク側デバイス（ｇＮｏｄｅＢ，ｇＮＢ）、端末デバイスと通信する他のネットワーク内のネットワーク側デバイス、又は将来のネットワークにおけるネットワーク側デバイスであってよい。代替的に、ネットワークデバイスは中継局、アクセスポイント、車載デバイス、又はそのようなものであってよい。デバイス間（Device  to  Device，Ｄ２Ｄ）通信システムでは、ネットワークデバイスは、基地局の役割を担う端末デバイスであってもよい。端末デバイスは、無線モデムへ接続された様々な手持ち式デバイス、車載デバイス、装着型デバイス、コンピューティングデバイス、若しくは他の処理デバイス、様々な形をとるユーザ機器（user  equipment，ＵＥ）及び移動局、などを含んでよく、ここで、上記のデバイスは無線通信機能を備える。
【００６０】
通常、ネットワークデバイスによって送信されるダウンリンク制御情報（downlink  control  information，ＤＣＩ）において、ネットワークデバイスは、端末デバイスがデータ及び制御情報をネットワークデバイスへ送信するアップリンク伝送で使用される時間周波数リソース、アンテナポート、プリコーディングスキーム、などを明示的に示す。
【００６１】
従来のシステムでは、端末デバイスはただ１つの局所発振器しか使用せず、アンテナが比較的に少数であるから、全てのＤＭＲＳアンテナポートはコヒーレントポートであり、ただ１つのＰＴＲＳしか必要とされない。従って、ＰＴＲＳは、ＤＣＩにおいて区別される必要がなく、専用のフィールドはＰＴＲＳを許可するために必要とされない。
【００６２】
しかし、通信技術の発展とともに、同じネットワークデバイス又は端末デバイスが使用するアンテナの数は増大する可能性がある。たとえ１つの局所発振器が使用されるとしても、局所発振器へ接続された全てのアンテナポートが必ずコヒーレントであることは、確かにされ得ない。代替的に、同じ端末デバイスは、複数（「複数」はここでは「２つ以上」を意味し、以下同じである）の局所発振器を使用する。全てのそのような場合に、１よりも多いＰＴＲＳが必要とされ、各ＰＴＲＳはＤＭＲＳアンテナポートの１グループに対応し、いずれか２つの異なるＰＴＲＳポートに対応するＤＲＭＳアンテナポートは完全に異なる。
【００６３】
ＰＴＲＳアンテナポートとＤＲＭＳアンテナポートのグループ内の特定のＤＭＲＳアンテナポートとの間には、関連関係が更に確立される必要がある。関連関係にあるＰＴＲＳアンテナポート及びＤＭＲＳアンテナポートは同じ位相ノイズを有し、ＰＴＲＳアンテナポート及びＤＭＲＳアンテナポートは伝送プロセスにおいて同じチャネルを経験すると更に考えられ得る。位相ノイズを推定するとき、受信端は、関連関係を使用することによって、位相ノイズ推定を支援するために使用される必要があるＤＲＭＳアンテナポートの推定されるチャネルを決定し得る。
【００６４】
図２に示されるように、ＤＭＲＳアンテナポート１及び２は、同じ（又は非常に近い、一般性を失うことなく、「同じ」と記載される）位相ノイズを有するアンテナポートのグループであり、ＤＭＲＳアンテナポート３、４、及び５は、同じ位相ノイズを有するアンテナポートのグループである。ＤＭＲＳアンテナポートのこれら２つのグループは、ＰＴＲＳポート６及び７に夫々対応する。具体的に言えば、それは、ＰＴＲＳポート６及びＤＭＲＳアンテナポートグループ｛１，２｝が同じ位相ノイズを有し、ＰＴＲＳポート７及びＤＭＲＳアンテナポートグループ｛３，４，５｝が同じ位相ノイズを有することを意味する。ＤＭＲＳアンテナポートグループ｛１，２｝において、ＰＴＲＳポート６及びグループ内のＤＭＲＳアンテナポート１は関連関係を有し、同じチャネルを有する（又は同じプリコーディングを有する）。ＤＭＲＳアンテナポートグループ｛３，４，５｝において、ＰＴＲＳポート７及びＤＭＲＳアンテナポート３は関連関係を有し、同じチャネルを経験する。アンテナポート１及び２は、１つのコヒーレントアンテナポートセットに属し、アンテナポート３、４、及び５は、もう１つのコヒーレントアンテナポートセットに属すると考えられ得る。ここで、アンテナポートグループ番号及びＰＴＲＳポートは、一対一の対応にある。ＰＴＲＳグループ１はＰＴＲＳ＃６に対応し、ＰＴＲＳグループ２はＰＴＲＳ＃７に対応する。明瞭さに影響を及びさないことを前提として、ＰＴＲＳ＃６は、ＰＴＲＳ＃１により置き換えられてもよく、ＰＴＲＳ＃７は、ＰＴＲＳ＃２により置き換えられてもよい。
【００６５】
コヒーレントアンテナポートセットは、コヒーレント伝送を実行することができるアンテナポートを含む組である。同じアンテナポートセットに属する全てのアンテナポートは、コヒーレント伝送を実行し得る。コヒーレント伝送は、如何なるジョイントプリコーディングも、サウンディング参照信号（Sounding  reference  signal，ＳＲＳ）、物理アップリンク共有チャネル（Physical  Uplink  Shared  Channel，ＰＵＳＣＨ）、又は物理アップリンク制御チャネル（Physical  Uplink  Control  Channel，ＰＵＣＣＨ）を送信するために、アンテナポート間で実行され得ることを意味する。如何なるジョイントプリコーディングとは、プリコーディングベクトル又はマトリクスにおいて、コヒーレント伝送のためのアンテナポートのグループに対応するプリコーディング係数が如何なる要素であってもよいことを意味する。
【００６６】
コヒーレントアンテナポートセットは、コンフィグレーション情報を使用することによってネットワークによって設定されるＳＲＳリソース又はリソースセット内の対応するコヒーレントアンテナポートセットであるか、あるいは、上位レイヤシグナリングを使用することによって端末デバイスによってネットワークデバイスへ報告されるコヒーレントアンテナポートセットであってよく、あるいは、上位レイヤシグナリングを使用することによって端末に対してネットワークデバイスによって設定されるコヒーレントアンテナポートセットであってよい。任意に、上位レイヤシグナリングの１タイプは、コードブックサブセット制限（codebook  subset  restriction，ＣＢＳＲ）シグナリングであってよい。コヒーレントアンテナポートセットは、ＣＢＳＲにおいて示されるプリコーディング符号語情報を使用することによって決定される。上位レイヤシグナリングは、ラジオ・リソース・コントロール（Radio  Resource  Control，ＲＲＣ）メッセージ、メディア・アクセス・コントロール制御要素（Media  Access  Control  Control  Element，ＭＡＣ  ＣＥ）メッセージ、それらの組み合わせ、又は他の制御シグナリングであってよい。これは、本願において制限されない。
【００６７】
任意に、ネットワークデバイスによって端末デバイスへ送られるＳＲＳリソースコンフィグレーション情報は、ＳＲＳポートコヒーレンス情報を含んでよい。ポートコヒーレンス情報は、複数の方法を使用することによって設定されてよい。１つの設定方法は、１つのＳＲＳリソース内の複数のアンテナポート間のコヒーレンスに関する情報を示すことである。他の設定方法では、複数のＳＲＳリソースが設定され、各ＳＲＳリソースは、１つ以上のアンテナポートを含み、複数のＳＲＳリソースは、分割又はグループ化され、ＳＲＳリソースの同じグループ内のＳＲＳアンテナポートがコヒーレント伝送アンテナポートである。確かに、他の設定方法が存在してもよい。これは、本願において制限されない。
【００６８】
特に、通信デバイスの全てのアンテナポートがコヒーレントである場合には、通信デバイスは、完全にコヒーレントと見なされてよく、ただ１つのＰＴＲＳが存在する。通信デバイスの全てのアンテナポート対が相互にインコヒーレントである場合には、通信デバイスは、インコヒーレントと見なされてよく、ＰＴＲＳの数はＤＭＲＳアンテナポートの数に等しい。通信デバイスのアンテナポート対の一部がコヒーレントである場合には、通信デバイスは、部分的にコヒーレントと見なされてよい。図２は、部分コヒーレンスの例を示す。
【００６９】
その場合に、ネットワークデバイスが複数のＰＴＲＳをサポートするとき、ダウンリンク伝送では、ネットワークデバイスは、１つ以上のＰＴＲＳがダウンリンクで使用されるかどうか、どのＰＴＲＳが使用されるか、及びどのＤＭＲＳアンテナポートが各ＰＴＲＳポートと関連するかをどのように端末デバイスに通知するのか？ネットワークデバイスは、ブロードキャストチャネル上で又は端末デバイスのアクセスプロセスで、ネットワークデバイスによってサポートされるＰＴＲＳに関する情報を端末デバイスに通知してよい。情報は、制限なしに、サポートされるＰＴＲＳの数、各ＰＴＲＳに対応するＤＭＲＳアンテナポートグループ、及び各ＰＴＲＳポートに関連したＤＭＲＳアンテナポートの番号を含む。
【００７０】
端末デバイスが複数のＰＴＲＳをサポートするとき、アップリンク伝送では、ネットワークデバイスは、１つ以上のＰＴＲＳがアップリンク伝送で使用されるかどうか、どのＰＴＲＳが使用されるか、及びどのＤＭＲＳアンテナポートが各ＰＴＲＳポートと関連するかをどのように端末デバイスに通知するのか？確かに、端末デバイスは、ネットワークデバイスにアクセスするときにＰＴＲＳサポート能力を基地局に通知してよい。ＰＴＲＳサポート能力は、制限なしに、サポートされるＰＴＲＳの数、各ＰＴＲＳに対応するＤＭＲＳアンテナポートグループ、及び各ＰＴＲＳポートに関連したＤＭＲＳアンテナポートの番号を含む。
【００７１】
上記２つの問題を解決するために、簡単な解決法が使用されてよい：フィールドが、ダウンリンクで使用されるＰＴＲＳの数及び／又はＰＴＲＳポート番号、又はアップリンク伝送で端末デバイスによって使用されるＰＴＲＳの数及び／又はＰＴＲＳポート番号を特に示すために、既存のＤＣＩに加えられるか、あるいは、準静的な許諾が、上位レイヤシグナリングを使用することによって実行される。しかし、この方法は、オーバヘッドの増大を必然的に引き起こす。例えば、デバイスが２つのＰＴＲＳをサポートするとき、２つのビットが必要とされる。このようにして、ＰＴＲＳに関連した情報が非常に明瞭に転送され得るが、オーバヘッドは間違いなく大きい。
【００７２】
従って、オーバヘッドを有効に制御するために、暗黙的な方法が指示のために使用されてよい。この指示方法では、アップリンク伝送に含まれるプリコーディング情報及びランク（rank）情報などの情報が十分に利用される。このようにして、端末は、前もって設定された規則と、アップリンクグラント情報内のプリコーディング及び／又はランクなどの制御情報とにのみ基づいて、送信されるべきＰＴＲＳの数と、ＰＴＲＳを運ぶアンテナポートとを暗黙的に取得し、明示的な指示シグナリングは必要とされない。これは、制御シグナリングオーバヘッドを有効に減らし、エアインターフェイス伝送効率を改善する。詳細な説明は、以下で与えられる。
【００７３】
一例として端末デバイスのアップリンク伝送を使用すると、図３は、本願に従うＰＴＲＳ送信方法の実施形態のフローチャートである。図３に示されるように、この実施形態は、端末デバイス（ＰＴＲＳ送信端）によって実行される。この実施形態における方法は、次のステップを含んでよい。
【００７４】
Ｓ１０１．アップリンクグラント（uplink  grant）情報を取得する。
【００７５】
端末デバイスは、ネットワークデバイスによって送信されたアップリンクグラント情報を取得する。アップリンクグラント情報は、ネットワークデバイスによって通常は配信され、ＤＣＩに含まれてよく、あるいは、アップリンクグラント情報を運ぶことができる他のタイプの制御メッセージに含まれてもよい。
【００７６】
ネットワークデバイスは、端末デバイスによってサポートされるＰＴＲＳ、チャネル情報、及びシステム負荷などの因子に基づいて、端末デバイスに対応するアップリンクグラント情報を決定する。
【００７７】
Ｓ１０２．送信されるべきＰＴＲＳの数を決定する。
【００７８】
アップリンク送信されるべきＰＴＲＳの数は、アップリンクグラント情報内のプリコーディング符号語情報及び／又はランク情報に対応する伝送プリコーディングにおけるコヒーレントアンテナポートセットの数に基づいて決定される。
【００７９】
例において、ここでのプリコーディング符号語情報は、ＬＴＥにおける伝送プリコーディングマトリクスインジケータ（transmission  precoding  matrix  indicator，ＴＰＭＩ）、又は５Ｇ若しくは将来の通信技術においてプリコーディング符号語を示すために使用される情報であってよい。これは、ここで制限されない。
【００８０】
例において、ここでのランク情報は、ＬＴＥにおける伝送ランクインジケータ（transmission  rank  indicator，ＴＲＩ）、又は５Ｇ若しくは将来の通信技術においてランクを示すために使用される情報であってよい。これは、ここで制限されない。
【００８１】
Ｓ１０３．アップリンクグラント情報及び前もって設定された規則に基づいて、送信されるべきＰＴＲＳ及び送信されるべきＰＴＲＳを送信するアンテナポートを決定し、このとき、アンテナポートは、アンテナポートセットから選択され、送信されるべきＰＴＲＳは、全ての利用可能なＰＴＲＳの中の１つ以上である。
【００８２】
任意に、ステップＳ１０２及びステップＳ１０３は、組み合わされてもよい。すなわち、送信されるべきＰＴＲＳを送信するアンテナポートが決定されるとき、アンテナポートの数は、送信されるべきＰＴＲＳの数である。従って、本願の記載では、Ｓ１０２及びＳ１０３は、明瞭に区別されない。
【００８３】
例えば、ＰＴＲＳポートとコヒーレントアンテナポートセットの中のアンテナポートとの間の対応、及びアップリンクグラント情報においてＴＰＭＩに対応する伝送プリコーディングマトリクスのコヒーレント伝送を実行可能なアンテナポートに関する情報に基づいて、端末デバイスは、ＰＴＲＳポートがアップリンクＤＭＲＳポート（セット）の中の少なくとも１つのポートに対応することを決定する。コヒーレントアンテナポートセットは、コヒーレント伝送を実行することができるアンテナポートを含むセットである。同じアンテナポートセットに属する全てのアンテナポートは、コヒーレント伝送を実行し得る。コヒーレント伝送は、任意のジョイントプリコーディングが、サウンディング参照信号（Sounding  reference  signal，ＳＲＳ）、物理アップリンク共有チャネル（Physical  Uplink  Shared  Channel，ＰＵＳＣＨ）、又は物理アップリンク制御チャネル（Physical  Uplink  Control  Channel，ＰＵＣＣＨ）を送信するために、アンテナポート間で実行され得ることを意味する。任意のジョイントプリコーディングは、プリコーディングベクトル又はマトリクスにおいて、コヒーレント伝送のためのアンテナポートのグループに対応するプリコーディング係数がいかなる要素であってもよいことを意味する。コヒーレントアンテナポートセットは、端末デバイスのために設定されたＳＲＳにおける対応するコヒーレントアンテナポートセットであるか、あるいは、上位レイヤシグナリングを使用することによって端末デバイスによってネットワークデバイスへ報告されるコヒーレントアンテナポートセットであってもよい。
【００８４】
アップリンクグラント情報がプリコーディング符号語情報を含むとき、コヒーレント伝送を実行可能なアンテナポートに関する情報は、プリコーディング符号語情報に対応するプリコーディング符号語に基づいて決定されてよく、そして、コヒーレントアンテナポートの中のアンテナポートの対応に基づいて、ＰＴＲＳポートが少なくとも１つのアップリンクＤＭＲＳポートに対応することが決定されてよい。プリコーディング符号語情報は、伝送プリコーディング符号語インデックス、ランクと連帯的に符号化されたプリコーディング符号語若しくはランクと連帯的に符号化されたプリコーディング符号語のインデックス、又は何らかの他の形態でのプリコーディング情報であってよい。
【００８５】
図４に示されるように、アンテナポートが言及されるとき、実際には２つの異なった意味が存在し得る。一方は、スケジューリングアンテナポートとも呼ばれ得る、プリコーディング前のアンテナポートである。この場合に、ＤＭＲＳアンテナポートの数はＭであり、すなわち、アンテナポートセットはＭ個のスケジューリングアンテナポートを含む。他方は、送信アンテナポートとも呼ばれ得る、プリコーディング後のアンテナポートである。この場合に、ＤＭＲＳアンテナポートの数はＮであり、すなわち、アンテナポートセットはＮ個の送信アンテナポートを含む。しかし、スケジューリングアンテナポート及び送信アンテナポートは両方とも、実際には、最終的なエアインターフェイス伝送に対して同じ影響を有し、信号処理プロシージャにおける異なる表現にすぎないことが留意されるべきである。Ｘがプリコーディング前のベクトルを表し、Ｐがプリコーディング符号語を表し、Ｙがプリコーディング出力ベクトルを表し、Ｙ＝ＰＸである場合に、プリコーディング符号語Ｐの次元はＮ×Ｍである。実際の用途では、図４における物理アンテナの数は必ずしもＮではなく、必要に応じてＮよりも大きくなることが留意されるべきである。
【００８６】
適用シナリオが変わると、ＰＴＲＳを運ぶスケジューリングアンテナポートが決定されてよく、あるいは、ＰＴＲＳを運ぶ送信アンテナポートが決定されてよい。
【００８７】
具体的に、前もって設定された規則１は、次のとおりに規定されてよい：プリコーディング符号語情報に対応するプリコーディング符号語の各列と、アンテナポートセットの中のＭ個のスケジューリングアンテナポートとは、一対一の対応にあり、プリコーディング符号語の同じ列の中に１よりも多い非ゼロ要素がある場合に、１よりも多い非ゼロ要素が位置している列に対応するスケジューリングアンテナポートは、コヒーレントアンテナポートであり、具体的に言えば、同じＰＴＲＳに対応する。すなわち、アンテナポートセットの中のコヒーレントアンテナポートに対応するプリコーディング符号語の列は、同じグループにあり、プリコーディング符号語の同じ行の中の非ゼロ要素が位置している列は、同じグループに属し、グループ及び送信されるべきＰＴＲＳは、一対一の対応にある。任意に、グループは更に番号付けされてよく、グループ番号及びＰＴＲＳポート番号は、一対一の対応にある。
【００８８】
同様に、前もって設定された規則２は、次のとおりに規定されてよい：プリコーディング符号語情報に対応するプリコーディング符号語の各行と、アンテナポートセットの中のＮ個の送信アンテナポートとは、一対一の対応にあり、プリコーディング符号語の同じ行の中に１よりも多い非ゼロ要素がある場合に、１よりも多い非ゼロ要素の列の中の全ての非ゼロ要素が位置している行に対応する送信アンテナポートは、コヒーレントアンテナポートであり、具体的に言えば、同じＰＴＲＳに対応する。すなわち、アンテナポートセットの中のコヒーレントアンテナポートに対応するプリコーディング符号語の行は、同じグループにあり、プリコーディング符号語の同じ列の中の非ゼロ要素が位置している行は、同じグループに属し、グループ及び送信されるべきＰＴＲＳは、一対一の対応にある。任意に、グループは更に番号付けされてよく、グループ番号及びＰＴＲＳポート番号は、一対一の対応にある。
【００８９】
一例として４つのアンテナポートを備える端末デバイスを使用すると、データ伝送の最大４つのレイヤが同時にサポートされる（Ｍ及びＮは両方とも４以下である）。４つのアンテナポートは２つのグループに分割されてよく、各グループは２つのアンテナポートを含み、２つのアンテナポートはコヒーレント伝送を実行することができると考えられる。例えば、２つのアンテナポートは、一対の交差偏波アンテナに対応するか、あるいは、２つのアンテナポートは、１つのアンテナパネルに対応する。上記の規則に従って、端末デバイスによって最終的に決定されるＰＴＲＳポートは、表１に示される。伝送プリコーディングベクトル又はマトリクスにおいて、対応するβｉ（ここで、ｉ＝０，１，２，・・・，６）は、パワー正規化係数であり、Ｐｉ（ここで、ｉ＝０，１，２，・・・，６）における全ての文字パラメータは、重み係数であり、通常は、モジュラス値が０から１の範囲（０及び１を含む）に及ぶ複素数である。ランク要件が満足されることを前提として、いくつかの重み係数は０であってよい。一般性を失うことなく、行番号又は列番号は、アンテナポート番号を表すために直接使用される。
【００９０】
任意に、表１の全部又は一部及びテーブルルックアップ法を使用することによって、端末デバイスは、プリコーディング符号語に基づいて、ＰＴＲＳを運ぶアンテナポートを直接探してよい。確かに、表１は一例にすぎない。
【表１】
2021503818.tif 000003
2021503818.tif 000004
【００９１】
ここで、事前合意が存在するという条件で、＊は、＃１又は＃２が代替的に、ＰＴＲＳ＃２を運ぶために使用されてよく、＃３又は＃４が代替的に、ＰＴＲＳ＃１を運ぶために使用されてよいことを意味する。これは、本願における方法の本質に影響を及ぼさない。残り２つのＰＴＲＳ及びアンテナポートのためのマッピング方法は同様である。表１は一例にすぎない。
【００９２】
表１に基づいて、制限なしに、次の推論が存在してよい。
【００９３】
（１）同じプリコーディング符号語については、同じ数のＰＴＲＳが、前もって設定された異なる規則に従って取得される。
【００９４】
（２）同じランクでさえ、前もって設定された同じ規則に従って、異なるプリコーディング符号語に対応するＰＴＲＳの数は、同じであってよく、あるいは、異なってもよい。例えば、Ｐ２及びＰ３について、前もって設定された規則１に従って、Ｐ２に対応するＰＴＲＳの数、及びＰ３に対応するＰＴＲＳの数は、２であり、前もって設定された規則２に従って、Ｐ２に対応するＰＴＲＳの数、及びＰ３に対応するＰＴＲＳの数は、４である。
【００９５】
（３）同数のＰＴＲＳでさえ、前もって設定された異なる規則に従って、ＰＴＲＳを運ぶための選択されたアンテナポートは、同じであってよく、あるいは、異なってもよい。例えば、Ｐ０及びＰ１について、前もって設定された規則１に従って、アンテナポート＃１のみが選択され得るが、前もって設定された規則２に従って、Ｐ０及びＰ１に対応するアンテナポートはアンテナポート＃１に制限されず、特に、アンテナポート＃１は、Ｐ１に対応するＰＴＲＳを運ぶために選択され得ない。
【００９６】
（４）所与のアンテナポートについて、複数のＰＴＲＳがサポートされる必要がある場合に、一部のプリコーディング符号語しか選択されなくてもよい。例えば、Ｐ４及びＰ５について、ＰＴＲＳは異なる様態でアンテナポートに対応するので、アンテナポートは、端末のアンテナグループ特徴に基づいて決定される必要がある。
【００９７】
表１中の「又は」は、関連するアンテナポートがコヒーレントアンテナであり、同じコヒーレントアンテナポートセットに属することを示すことが留意されるべきである。同じＰＴＲＳに対応するコヒーレントアンテナポートセット内のどのアンテナポートがＰＴＲＳを運ぶために使用されるかは、本願において制限されない。任意に、１つのＰＴＲＳポートと、そのＰＴＲＳポートに対応する全てのコヒーレントアンテナポート内のアンテナポートとの間の対応は、制限なしに、ＰＴＲＳポートの番号が最大アンテナポート番号、最小アンテナポート番号、奇数番号、偶数番号、又はコヒーレントアンテナポートセットにおいて事前に定義された規則に従って定義された任意のアンテナポート番号、に対応することを含む。対応は、事前に定義されるか、あるいは、上位レイヤシグナリング、ＤＣＩ、又は任意の事前合意されたダウンリンクチャネルを使用することによって設定される。
【００９８】
例えば、Ｘ個のビットが、ＰＴＲＳを運ぶアンテナポートの番号を示すためにＤＣＩに加えられてよい。次いで、ＰＴＲＳの特定の数に依存して、Ｘ個のビットが、前もって設定された異なる規則を使用することによって解釈及びマッピングされる必要がある。通常、アンテナポートの数がＺである場合に、Ｘ＝ｌｏｇ２Ｚ又はＸ＝Ｚ／２が成立し得る。例えば、Ｚは、表１の例では２であってよい。端末デバイスが１つのＰＴＲＳしかサポートしないとき、２つのビットは、４つのアンテナポートのうちのどの１つがＰＴＲＳを送信するために使用されるかを示す。端末デバイスが最大２つのＰＴＲＳをサポートすることができるとき、２つのビットは夫々、ＰＴＲＳに対応するアンテナポートを示し得る。例えば、プリコーディング符号語がＰ４である場合に、第１ビットは、ＰＴＲＳ＃１がアンテナポート＃１又はアンテナポート＃２によって運ばれるかどうかを示すために使用される。例えば、第１ビットが０であるとき、それは、ＰＴＲＳ＃１がアンテナポート＃１によって運ばれることを示し、あるいは、第１ビットが１であるとき、それは、ＰＴＲＳ＃１がアンテナポート＃２によって運ばれることを示し、その逆も同じである。前もって設定された規則１が使用されるとき、第２ビットは冗長である。しかし、前もって設定された規則２が使用されるとき、第２ビットは、ＰＴＲＳ＃２がアンテナポート＃３又はアンテナポート＃４によって運ばれるかどうかを示すために使用されてよい。プリコーディング符号語がＰ６である場合に、前もって設定された規則１又は前もって設定された規則２が使用されるかどうかにかかわらず、第１ビットは、ＰＴＲＳ＃１がアンテナポート＃１又はアンテナポート＃３によって運ばれるかどうか示すために使用され、第２ビットは、ＰＴＲＳ＃２がアンテナポート＃２又はアンテナポート＃４によって運ばれるかどうかを示すために使用される。この方法に従って、ＰＴＲＳの数は上記の方法で取得され、それから、異なるマッピング指示が、ＰＴＲＳの異なる数に基づいてＸ個のビットに対して実行される。そのような方法はまた、暗黙的な指示と見なされ得る。
【００９９】
任意に、Ｘ個のビットは、Ｘ個のＰＴＲＳのために選択されたアンテナポートの番号を示すために使用されてよい。各ＰＴＲＳは２つのアンテナポートに対応する。ＰＴＲＳに対応するビットごとに、０の値は、２つのアンテナポートのうちの一方を示し、１の値は、２つのポートのうちの他方を示す。
【０１００】
任意に、プリコーディング符号語は、ＣＰＳＲにおける１つの符号語であってよい。
【０１０１】
送信されるべきＰＴＲＳの数及び送信されるべきＰＴＲＳを運ぶアンテナポートを決定するための前もって設定された規則が更に簡単にされる必要がある場合に、ランク情報しか使用されなくてもよい。このようにして、端末デバイスは、ランクの値に基づいてＰＴＲＳの数を決定し、それから、前もって決定されたＰＴＲＳの数とＰＴＲＳを運ぶアンテナポートとの間の一対一の対応に基づいて、送信されるべきＰＴＲＳを送信するＤＭＲＳアンテナポートを決定する。
【０１０２】
例えば、アップリンクグラント情報がランク情報を含み、ランクの値がＲである場合に、送信されるべきＰＴＲＳの数Ａは、ｍｉｎ（Ｒ，Ｃ）、ｍｉｎ（Ｓ，Ｃ）、ｍｉｎ（Ｑ，Ｃ）、又は任意の事前合意された値であり、このとき、Ｃは、端末デバイスによってサポートされるＰＴＲＳの最大数、又は端末デバイスのためにネットワークデバイスによって設定されるＰＴＲＳの最大数であり、Ｓは、Ｒが与えられるときに端末デバイスによってサポートされるＰＴＲＳの最小数であり、Ｑは、Ｒが与えられるときに端末デバイスによってサポートされるＰＴＲＳの最大数であり、Ｃ、Ｒ、Ｓ及びＱは、正の整数であり、ｍｉｎ（）は、カッコ内の最小数を求める演算である。Ａが決定された後、任意に、Ａ個のＰＴＲＳは、全ての利用可能なＰＴＲＳのポート番号の昇順に、送信されるべきＰＴＲＳとして逐次選択されるか、あるいは、Ａ個のＰＴＲＳは、全ての利用可能なＰＴＲＳのポート番号の降順に、送信されるべきＰＴＲＳとして逐次選択されるか、あるいは、Ａ個のＰＴＲＳは、任意の前もって設定された規則に従って、送信されるべきＰＴＲＳとして、全ての利用可能なＰＴＲＳから選択される。例えば、表１に従って、ＰＴＲＳポート番号の昇順における逐次選択の方法が、実際にはデフォルトで使用される。
【０１０３】
このマッピング方法は簡単であるが、比較的に多くの量の内容が、ネットワークデバイスと端末デバイスとの間で事前合意される必要があることが分かる。例えば、Ｒ＝２のとき、プリコーディング符号語情報は使用されず、ＰＴＲＳポートとアンテナポートとの間の対応は比較的に一定であるから、実際に利用可能なプリコーディング符号語は、Ｐ２及びＰ３のうちのただ１つであってよい。表１の例では、Ｃ＝２であるから、Ｒ＝２のとき、Ｓ＝１かつＱ＝２。ＰＴＲＳの数Ａがｍｉｎ（Ｒ，Ｃ）＝２又はｍｉｎ（Ｑ，Ｃ）＝２であるとき、Ｐ２しか使用され得ず、ＰＴＲＳを運ぶアンテナポートは、表１の対応に基づいて決定される。ＰＴＲＳの数Ａがｍｉｎ（Ｓ，Ｃ）＝１であるとき、Ｐ３しか使用され得ず、ＰＴＲＳを運ぶアンテナポートは、表１の対応に基づいて決定される。
【０１０４】
確かに、ここで、ＰＴＲＳの数を決定するプロセスは直接スキップされてもよく、一対一の対応は、ランク情報と、ＰＴＲＳポートを運ぶアンテナポートとの間で確立されてもよい。例えば、表１の一部の行及び列のみが、表２を形成するために選択される。表２は、一例にすぎないことが留意されるべきである。選択規則は、Ａ＝ｍｉｎ（Ｑ，Ｃ）である。
【表２】
2021503818.tif 000005
【０１０５】
同じく、Ｘ個のビットが、ＰＴＲＳを運ぶアンテナポートを示すために使用される場合に、Ｘ個のビットはまた、上記の方法を使用することによって解釈及びマッピングされても良い。詳細は、ここで再び記載されない。
【０１０６】
同様に、端末デバイスは、アップリンクスケジューリンググラント情報においてＳＲＩに対応するＳＲＳリソース情報に基づいて、アップリンクＰＴＲＳポートに関する情報を更に決定してよい。ＰＴＲＳポートに関する情報は、ＰＴＲＳポートの数に関する情報と、ＰＴＲＳポートとＤＭＲＳポートとの間の対応に関する情報とを含む。
【０１０７】
Ｓ１０４．送信されるべきＰＴＲＳをアンテナポートで送信する。
【０１０８】
図は、送信されるべきＰＴＲＳ及び時間周波数リソースを端末デバイスによって決定するプロセス、並びにリソースマッピング、変調、デジタル−アナログ変換、及び周波数変換などの具体的な処理ステップを示さないことが留意されるべきである。それらは全て先行技術に属するので、詳細は記載されない。
【０１０９】
図３に示される例は、アップリンク伝送についての例である。実際に、それらの前もって設定された規則は、ダウンリンクＰＴＲＳ受信にも適用可能である。具体的に言えば、データ又は制御情報のダウンリンク伝送において、ネットワークデバイス側で使用されるＰＴＲＳの数、及びＰＴＲＳを運ぶアンテナポートは、同様に、ＤＣＩで運ばれるダウンリンク伝送プリコーディング符号語又はランク情報に基づいて、暗黙的な方法又は部分的に暗黙的な方法でＸ個の追加ビットにより端末デバイスへ通知されてよい。図５は、ＰＴＲＳ受信の実施形態である。
【０１１０】
Ｓ２０１．端末デバイスはダウンリンクグラントメッセージを取得する。
【０１１１】
Ｓ２０２．端末デバイスは、受信されるべきＰＴＲＳの数を決定する。
【０１１２】
Ｓ２０３．端末デバイスは、ダウンリンクグラントメッセージ及び前もって設定された規則に基づいて、受信されるべきＰＴＲＳ及び受信されるべきＰＴＲＳを運ぶアンテナポートを決定し、このとき、アンテナポートは、アンテナポートセットから選択され、受信されるべきＰＴＲＳは、全ての利用可能なＰＴＲＳのうちの１つ以上である。
【０１１３】
ステップＳ２０２及びＳ２０３の方法は、ステップＳ１０２及びＳ１０３と一致する。詳細は、ここで再び記載されない。
【０１１４】
Ｓ２０４．端末デバイスは、受信されるべきＰＴＲＳをアンテナポートで検出する。
【０１１５】
上記のステップは、必ずしも順に実行される必要がなく、ステップＳ１０２及びステップＳ２０２などのいくつかのステップは、任意であることが留意されるべきである。
【０１１６】
全ての上記方法は、単一のＴＰＭＩに関係があることが更に留意されるべきである。通常、１つのＴＰＭＩは少なくとも１つのＰＴＲＳに対応する。従って、１つのＤＣＩ又は他のアップリンクグラント情報が２つ以上のＴＰＭＩを含むとき、それは、端末デバイスが少なくとも２つのＰＴＲＳをサポートすることを意味する。この能力、及びＰＴＲＳとアンテナポートとの間の対応は、端末デバイスがネットワークにアクセスするときにネットワークデバイスに通知されてよい。具体的に、上記の方法は、各ＴＰＭＩに対応するＰＴＲＳを決定するために使用されてよい。
【０１１７】
図３に示されるＰＴＲＳ送信方法のそれと同じ発明概念に基づいて、図６に示されるように、本願の実施形態は、ＰＴＲＳ送信装置７００を更に提供する。ＰＴＲＳ送信装置７００は、図３に示されるＰＴＲＳ送信方法を実行するよう構成される。図３に示されるＰＴＲＳ送信方法におけるステップのうちの一部又は全ては、ハードウェア又はソフトウェアによって実施されてよい。ステップがハードウェアを使用することによって実施される場合に、ＰＴＲＳ送信装置７００は、アップリンクグラント情報を取得するよう構成される入力インターフェイス７０１と、図３に示されるＰＴＲＳ送信方法を実行するよう構成され、詳細については、上記の方法実施形態における記載が参照されてよく、詳細はここで再び記載されない論理回路７０２と、ＰＴＲＳ信号を出力するよう構成される出力インターフェイス７０３とを含む。
【０１１８】
任意に、具体的な実施中に、ＰＴＲＳ送信装置７００は、チップ又は集積回路であって良い。
【０１１９】
任意に、上記の実施形態におけるＰＴＲＳ送信方法のステップのうちの一部又は全てがソフトウェアを使用することによって実施される場合に、図７に示されるように、ＰＴＲＳ送信装置８００は、プログラムを記憶するよう構成されるメモリ８０１と、メモリ８０１に記憶されているプログラムを実行するよう構成されるプロセッサ８０２とを含む。プログラムが実行されるとき、ＰＴＲＳ送信装置８００は、図３に対応する実施形態で提供されるＰＴＲＳ送信方法を実施してよい。
【０１２０】
任意に、メモリ８０１は、物理的に独立したユニットであってよく、あるいは、プロセッサ８０２と集積されてもよい。
【０１２１】
任意に、図３に対応する実施形態におけるＰＴＲＳ送信方法におけるステップのうちの一部又は全てがソフトウェアを使用することによって実施される場合に、ＰＴＲＳ送信装置８００は、プロセッサ８０２しか含まなくてもよい。プログラムを記憶するよう構成されたメモリ８０１は、ＰＴＲＳ送信装置８００の外に位置する。プロセッサ８０２は、メモリ８０１に記憶されたプログラムを読み出して実行するように、回路又は配線を使用することによってメモリ８０１へ接続される。
【０１２２】
プロセッサ８０２は、中央演算処理装置（central  processing  unit，ＣＰＵ）、ネットワーク・プロセッサ（network  processor，ＮＰ）、又はＣＰＵ及びＮＰの組み合わせであってよい。
【０１２３】
プロセッサ８０２は、ハードウェアチップを更に含んでもよい。ハードウェアチップは、特定用途向け集積回路（application-specific  integrated  circuit，ＡＳＩＣ）、プログラム可能論理デバイス（programmable  logic  device，ＰＬＤ）、又はそれらの組み合わせであってよい。ＰＬＤは、複合プログラム可能論理デバイス（complex  programmable  logic  device，ＣＰＬＤ）、フィールド・プログラマブル・ゲート・アレイ（field-programmable  gate  array，ＦＰＧＡ）、汎用アレイロジック（generic  array  logic，ＧＡＬ）、又はそれらの任意の組み合わせであってよい。
【０１２４】
メモリ８０１は、ランダム・アクセス・メモリ（random-access  memory，ＲＡＭ）などの揮発性メモリ（volatile  memory）を含んでよい。代替的に、メモリ８０１は、フラッシュメモリ（flash  memory）、ハード・ディスク・ドライブ（hard  disk  drive，ＨＤＤ）、又はソリッド・ステート・ドライブ（sold-state  drive，ＳＳＤ）などの不揮発性メモリ（non-volatile  memory）を含んでもよい。代替的に、メモリ８０１は、上記のタイプのメモリ組み合わせを含んでもよい。
【０１２５】
図３に対応する実施形態で示されるＰＴＲＳ送信方法のそれと同じ発明概念に基づいて、図８に示されるように、本願の実施形態は、ＰＴＲＳ送信装置の実施形態の略構造図を更に提供する。ＰＴＲＳ送信装置は、取得モジュール９０１、決定モジュール９０２、及び送信モジュール９０３を含んでよい。取得モジュール９０１は、ステップＳ１０１に対応する方法を実行するよう構成され、決定モジュール９０２は、ステップＳ１０２及びＳ１０３に対応する方法を実行するよう構成され、送信モジュール９０３は、ステップＳ１０４に対応する方法を実行するよう構成される。装置は、端末デバイスである。
【０１２６】
この実施形態における装置は、図３に対応する方法実施形態における技術的解決法を実行するよう構成されてよい。装置の実施原理及び技術的効果は、方法実施形態のそれらと同様である。詳細は、ここで再び記載されない。
【０１２７】
図８は、制限なしに、ＰＴＲＳシーケンス生成、時間周波数リソース決定モジュール、変調モジュール、デジタル−アナログ変換モジュール、周波数変換モジュール、及び送信モジュールを含む先行技術における共通モジュールのうちの一部又は全部を示していないことが留意されるべきである。送信モジュールは、ＰＴＲＳを送信するよう構成される。ＰＴＲＳが送信される前に、変調及びデジタル−アナログ変換などの動作が、更に実行される必要がある。
【０１２８】
図５に示されるＰＴＲＳ送信方法のそれと同じ発明概念に基づいて、図９に示されるように、本願の実施形態は、ＰＴＲＳ受信装置１１００を更に提供する。ＰＴＲＳ受信装置１１００は、図５に示されるＰＴＲＳ受信方法を実行するよう構成される。図５に示されるＰＴＲＳ受信方法におけるステップのうちの一部又は全ては、ハードウェア又はソフトウェアによって実施されてよい。ステップがハードウェアを使用することによって実施される場合に、ＰＴＲＳ受信装置１１００は、ダウンリンクグラント情報を取得するよう構成される入力インターフェイス１１０１と、図５に示されるＰＴＲＳ受信方法を実行するよう構成され、詳細については、上記の方法実施形態における記載が参照されてよく、詳細はここで再び記載されない論理回路１１０２と、検出後に取得されたＰＴＲＳ信号を出力するよう構成される出力インターフェイス１１０３とを含む。
【０１２９】
任意に、具体的な実施中に、ＰＴＲＳ受信装置１１００は、チップ又は集積回路であって良い。
【０１３０】
任意に、上記の実施形態におけるＰＴＲＳ受信方法のステップのうちの一部又は全てがソフトウェアを使用することによって実施される場合に、図１０に示されるように、ＰＴＲＳ受信装置１２００は、プログラムを記憶するよう構成されるメモリ１２０１と、メモリ１２０１に記憶されているプログラムを実行するよう構成されるプロセッサ１２０２とを含む。プログラムが実行されるとき、ＰＴＲＳ受信装置１２００は、図５に対応する実施形態で提供されるＰＴＲＳ受信方法を実施してよい。
【０１３１】
任意に、メモリ１２０１は、物理的に独立したユニットであってよく、あるいは、プロセッサ１２０２と集積されてもよい。
【０１３２】
任意に、図５に対応する実施形態におけるＰＴＲＳ受信方法におけるステップのうちの一部又は全てがソフトウェアを使用することによって実施される場合に、ＰＴＲＳ受信装置１２００は、プロセッサ１２０２しか含まなくてもよい。プログラムを記憶するよう構成されたメモリ１２０１は、ＰＴＲＳ受信装置１２００の外に位置する。プロセッサ１２０２は、メモリ１２０１に記憶されたプログラムを読み出して実行するように、回路又は配線を使用することによってメモリ１２０１へ接続される。
【０１３３】
プロセッサ１２０２は、中央演算処理装置（central  processing  unit，ＣＰＵ）、ネットワーク・プロセッサ（network  processor，ＮＰ）、又はＣＰＵ及びＮＰの組み合わせであってよい。
【０１３４】
プロセッサ１２０２は、ハードウェアチップを更に含んでもよい。ハードウェアチップは、特定用途向け集積回路（application-specific  integrated  circuit，ＡＳＩＣ）、プログラム可能論理デバイス（programmable  logic  device，ＰＬＤ）、又はそれらの組み合わせであってよい。ＰＬＤは、複合プログラム可能論理デバイス（complex  programmable  logic  device，ＣＰＬＤ）、フィールド・プログラマブル・ゲート・アレイ（field-programmable  gate  array，ＦＰＧＡ）、汎用アレイロジック（generic  array  logic，ＧＡＬ）、又はそれらの任意の組み合わせであってよい。
【０１３５】
メモリ１２０１は、ランダム・アクセス・メモリ（random-access  memory，ＲＡＭ）などの揮発性メモリ（volatile  memory）を含んでよい。代替的に、メモリ１２０１は、フラッシュメモリ（flash  memory）、ハード・ディスク・ドライブ（hard  disk  drive，ＨＤＤ）、又はソリッド・ステート・ドライブ（sold-state  drive，ＳＳＤ）などの不揮発性メモリ（non-volatile  memory）を含んでもよい。代替的に、メモリ１２０１は、上記のタイプのメモリ組み合わせを含んでもよい。
【０１３６】
図５に対応する実施形態で示されるＰＴＲＳ受信方法のそれと同じ発明概念に基づいて、図１１に示されるように、本願の実施形態は、ＰＴＲＳ受信装置の実施形態の略構造図を更に提供する。ＰＴＲＳ受信装置は、取得モジュール１３０１、決定モジュール１３０２、及び検出モジュール１３０３を含んでよい。取得モジュール１３０１は、ステップＳ２０１に対応する方法を実行するよう構成され、決定モジュール１３０２は、ステップＳ２０２及びＳ２０３に対応する方法を実行するよう構成され、検出モジュール１３０３は、ステップＳ２０４に対応する方法を実行するよう構成される。装置は、端末デバイスである。
【０１３７】
この実施形態における装置は、図５に対応する方法実施形態における技術的解決法を実行するよう構成されてよい。装置の実施原理及び技術的効果は、方法実施形態のそれらと同様である。詳細は、ここで再び記載されない。
【０１３８】
図１１は、制限なしに、ＰＴＲＳシーケンス決定モジュール、時間周波数リソース決定モジュール、復調モジュール、アナログ−デジタル変換モジュール、及び周波数変換モジュールを含む先行技術における共通モジュールのうちの一部又は全部を示していないことが留意されるべきである。検出モジュールは、ＰＴＲＳを検出するよう構成される。検出前に、復調、アナログ−デジタル変換、ＰＴＲＳシーケンスマッピング、及び時間周波数リソースマッピングなどの動作が、更に実行される必要がある。
【０１３９】
当業者であれば、本願の実施形態は、方法、システム、又はコンピュータプログラム製品として提供され得ると理解するはずである。従って、本願は、ハードウェアのみ実施形態、ソフトウェアのみの実施形態、又はソフトウェアとハードウェアとの組み合わせによる実施形態の形を使用してよい。更には、本願は、コンピュータ使用可能プログラムコードを含む１つ以上のコンピュータ使用可能記憶媒体（ディスクメモリ、ＣＤ−ＲＯＭ、及び光学メモリを含むが限られない）で実装されるコンピュータプログラム製品の形を使用してもよい。コンピュータ命令は更に、コンピュータ可読記憶媒体から他のコンピュータ可読記憶媒体へ伝送されてよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、若しくはデジタル加入者回線（ＤＳＬ））又は無線（例えば、赤外線、電波、若しくはマイクロ波）方式で伝送され得る。
【０１４０】
本願は、本願の実施形態に従う方法、デバイス（システム）、及びコンピュータプログラム製品のフローチャート及び／又はブロック図を参照して記載される。コンピュータプログラム命令は、フローチャート及び／又はブロック図における各プロセス及び／又は各ブロック並びにフローチャート及び／又はブロック図におけるプロセス及び／又はブロックの組み合わせを実施するために使用されてよいことが理解されるべきである。そのようなコンピュータプログラム命令は、汎用コンピュータ、専用コンピュータ、埋め込みプロセッサ、又はあらゆる他のプログラム可能データ処理デバイスのプロセッサがマシンを発生させるために提供されてよく、それにより、コンピュータ又はあらゆる他のプログラム可能データ処理デバイスのプロセッサによって実行される命令は、フローチャート内の１つ以上のプロセスで及び／又はブロック図内の１つ以上のブロックで特定の機能を実施するための装置を発生させる。
【０１４１】
そのようなコンピュータプログラム命令は、特定の方法で作動するようにコンピュータ又はあらゆる他のプログラム可能データ処理デバイスに指示することができるコンピュータ可読メモリに記憶されてよく、それにより、コンピュータ可読メモリに記憶されている命令は、指示装置を含むアーチファクトを発生させる。指示装置は、フローチャート内の１つ以上のプロセスで及び／又はブロック図内の１つ以上のブロックで特定の機能を実施する。
【０１４２】
そのようなコンピュータプログラム命令は、コンピュータ又は他のプログラム可能なデータ処理デバイスにロードされてよく、それにより、一連の動作及びステップは、コンピュータ又は他のプログラム可能なデバイスで実行されて、コンピュータ実装処理を発生させる。従って、コンピュータ又は他のプログラム可能なデバイスで実行される命令は、フローチャート内の１つ以上のプロセスで及び／又はブロック図内の１つ以上のブロックで特定の機能を実施するためのステップを提供する。
【０１４３】
本願のいくつかの好適な実施形態が記載されているが、当業者であれば、彼らが基本的な発明概念を学ぶと、それらの実施形態に対して変更及び改良を行うことができる。従って、続く特許請求の範囲は、本願の適用範囲内にある好適な実施形態並びに全ての変更及び改良をカバーするように解釈されるべきである。
【０１４４】
明らかに、当業者であれば、本願の実施形態の精神及び適用範囲から外れることなしに、本願の実施形態に対して様々な変更及び変形を行うことができる。本願は、本願の特許請求の範囲及びそれら均等の技術の範囲内にあるという条件で、それらの変更及び変形をカバーするよう意図される。
【図１（ａ）】
2021503818.tif 000006
【図１（ｂ）】
2021503818.tif 000007
【図２】
2021503818.tif 000008
【図３】
2021503818.tif 000009
【図４】
2021503818.tif 000010
【図５】
2021503818.tif 000011
【図６】
2021503818.tif 000012
【図７】
2021503818.tif 000013
【図８】
2021503818.tif 000014
【図９】
2021503818.tif 000015
【図１０】
2021503818.tif 000016
【図１１】
2021503818.tif 000017
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
位相追従参照信号（ＰＴＲＳ）送信方法であって、
端末デバイスによってアップリンクグラント情報を取得することと、
前記端末デバイスによって、前記アップリンクグラント情報及び前もって設定された規則に基づいて、送信されるべきＰＴＲＳに関連したアンテナポートを決定することであり、前記送信されるべきＰＴＲＳに関連した前記アンテナポートは、アンテナポートセットから選択され、前記送信されるべきＰＴＲＳは、全ての利用可能なＰＴＲＳの中の１つ以上である、前記決定することと、
前記端末デバイスによって前記送信されるべきＰＴＲＳを送信することと
を有する方法。
【請求項２】
前記端末デバイスが、前記アップリンクグラント情報及び前記前もって設定された規則に基づいて、前記送信されるべきＰＴＲＳ及び該送信されるべきＰＴＲＳに関連した前記アンテナポートを決定する前に、前記端末デバイスは、送信されるべきＰＴＲＳの数を決定する、
請求項１に記載の方法。
【請求項３】
前記アンテナポートセットは、スケジューリングアンテナポートセットである、
請求項１又は２に記載の方法。
【請求項４】
前記アップリンクグラント情報は、プリコーディング符号語情報を有し、
前記前もって設定された規則は、前記プリコーディング符号語情報に対応するプリコーディング符号語の各列と、前記アンテナポートセットの中の各アンテナポートとが、一対一の対応にあり、前記プリコーディング符号語の同じ行の中の非ゼロ要素が位置している列に対応する前記アンテナポートセットの中のアンテナポートが、同じ送信されるべきＰＴＲＳに対応することを有する、
請求項３に記載の方法。
【請求項５】
前記プリコーディング符号語の同じ行の中の非ゼロ要素が位置している前記列は、同じグループに属し、該グループ及び前記送信されるべきＰＴＲＳは、一対一の対応にある、
請求項４に記載の方法。
【請求項６】
前記アップリンクグラント情報は、ランク情報を有し、該ランク情報におけるランクの値は、Ｒであり、
前記前もって設定された規則は、送信されるべきＰＴＲＳの数がｍｉｎ（Ｒ，Ｃ）、ｍｉｎ（Ｓ，Ｃ）、又はｍｉｎ（Ｑ，Ｃ）であることであり、
Ｃは、前記端末デバイスによってサポートされるＰＴＲＳの最大数、又は前記端末デバイスに対してネットワークデバイスによって設定されるＰＴＲＳの最大数であり、Ｓは、Ｒが与えられるときに前記端末デバイスによってサポートされるＰＴＲＳの最小数であり、Ｑは、Ｒが与えられるときに前記端末デバイスによってサポートされるＰＴＲＳの最大数であり、Ｃ、Ｒ、Ｓ及びＱは、正の整数である、
請求項１に記載の方法。
【請求項７】
全ての前記利用可能なＰＴＲＳの中のいずれのＰＴＲＳも、前記アンテナポートセットの中の２つ以上のアンテナポートに対応する、
請求項１乃至６のうちいずれか一項に記載の方法。
【請求項８】
全ての前記利用可能なＰＴＲＳの中のいずれのＰＴＲＳも前記アンテナポートセットの中の２つ以上のアンテナポートに対応するという対応方法は、上位レイヤシグナリング又はダウンリンク制御シグナリングを使用することによって通知されるか、あるいは、前もって設定される、
請求項１乃至７のうちいずれか一項に記載の方法。
【請求項９】
いずれかのＰＴＲＳを送信するよう構成される、該いずれかのＰＴＲＳに対応する前記アンテナポートセットの中のアンテナポートは、上位レイヤシグナリング又はダウンリンク制御シグナリングを使用することによって通知されるか、あるいは、前もって設定される、
請求項１乃至８のうちいずれか一項に記載の方法。
【請求項１０】
前記前もって設定された規則は、上位レイヤシグナリング又はダウンリンク制御シグナリングを使用することによって通知されるか、あるいは、前もって設定される、
請求項１乃至９のうちいずれか一項に記載の方法。
【請求項１１】
前記端末デバイスが前記アップリンクグラント情報を取得する前に、前記端末デバイスは、ネットワークデバイスに対して、全ての前記利用可能なＰＴＲＳと前記アンテナポートセットの中のアンテナポートとの間の対応を送る、
請求項１乃至１０のうちいずれか一項に記載の方法。
【請求項１２】
前記アップリンクグラント情報は、Ｘ個のビットを有し、該Ｘ個のビットは、Ｘ個の送信されるべきＰＴＲＳに関連したアンテナポートの番号を示すために使用される、
請求項１乃至１１のうちいずれか一項に記載の方法。
【請求項１３】
前記Ｘビットの中のいずれのビットも、１つの送信されるべきＰＴＲＳのアンテナポートの番号を示すために使用され、前記１つの送信されるべきＰＴＲＳは、２つのアンテナポートに対応し、前記いずれのビットについても、０の値が前記２つのアンテナポートのうちの一方を示し、１の値が前記２つのアンテナポートのうちの他方を示す、
請求項１２に記載の方法。
【請求項１４】
Ｘ＝１２である、
請求項１２又は１３に記載の方法。
【請求項１５】
前記端末デバイスによって前記送信されるべきＰＴＲＳを送信することは、前記端末デバイスによって前記送信されるべきＰＴＲＳを、該送信されるべきＰＴＲＳに関連した前記アンテナポートに置くことである、
請求項１乃至１４のうちいずれか一項に記載の方法。
【請求項１６】
前記アンテナポートセットは、少なくとも４つのアンテナポートを有する、
請求項１乃至１５のうちいずれか一項に記載の方法。
【請求項１７】
位相追従参照信号（ＰＴＲＳ）送信装置であって、
アップリンクグラント情報を取得するよう構成される取得モジュールと、
前記アップリンクグラント情報及び前もって設定された規則に基づいて、送信されるべきＰＴＲＳに関連したアンテナポートを決定するよう構成される決定モジュールであり、前記送信されるべきＰＴＲＳに関連した前記アンテナポートは、アンテナポートセットから選択され、前記送信されるべきＰＴＲＳは、全ての利用可能なＰＴＲＳの中の１つ以上である、前記決定モジュールと、
前記送信されるべきＰＴＲＳを送信するよう構成される送信モジュールと
を有する装置。
【請求項１８】
前記アップリンクグラント情報及び前記前もって設定された規則に基づいて、前記送信されるべきＰＴＲＳ及び該送信されるべきＰＴＲＳに関連した前記アンテナポートを決定する前に、前記決定モジュールは、送信されるべきＰＴＲＳの数を決定するよう更に構成される、
請求項１７に記載の装置。
【請求項１９】
前記アンテナポートセットは、スケジューリングアンテナポートセットである、
請求項１７又は１８に記載の装置。
【請求項２０】
前記アップリンクグラント情報は、プリコーディング符号語情報を有し、
前記前もって設定された規則は、前記プリコーディング符号語情報に対応するプリコーディング符号語の各列と、前記アンテナポートセットの中の各アンテナポートとが、一対一の対応にあり、前記プリコーディング符号語の同じ行の中の非ゼロ要素が位置している列に対応する前記アンテナポートセットの中のアンテナポートが、同じ送信されるべきＰＴＲＳに対応することを有する、
請求項１９に記載の装置。
【請求項２１】
前記プリコーディング符号語の同じ行の中の非ゼロ要素が位置している前記列は、同じグループに属し、該グループ及び前記送信されるべきＰＴＲＳは、一対一の対応にある、
請求項２０に記載の装置。
【請求項２２】
前記アップリンクグラント情報は、ランク情報を有し、該ランク情報におけるランクの値は、Ｒであり、
前記前もって設定された規則は、送信されるべきＰＴＲＳの数がｍｉｎ（Ｒ，Ｃ）、ｍｉｎ（Ｓ，Ｃ）、又はｍｉｎ（Ｑ，Ｃ）であることであり、
Ｃは、当該装置によってサポートされるＰＴＲＳの最大数、又は当該装置に対してネットワークデバイスによって設定されるＰＴＲＳの最大数であり、Ｓは、Ｒが与えられるときに当該装置によってサポートされるＰＴＲＳの最小数であり、Ｑは、Ｒが与えられるときに当該装置によってサポートされるＰＴＲＳの最大数であり、Ｃ、Ｒ、Ｓ及びＱは、正の整数である、
請求項１７に記載の装置。
【請求項２３】
全ての前記利用可能なＰＴＲＳの中のいずれのＰＴＲＳも、前記アンテナポートセットの中の２つ以上のアンテナポートに対応する、
請求項１７乃至２２のうちいずれか一項に記載の装置。
【請求項２４】
全ての前記利用可能なＰＴＲＳの中のいずれのＰＴＲＳも前記アンテナポートセットの中の２つ以上のアンテナポートに対応するという対応方法は、上位レイヤシグナリング又はダウンリンク制御シグナリングを使用することによって通知されるか、あるいは、前もって設定される、
請求項１７乃至２３のうちいずれか一項に記載の装置。
【請求項２５】
いずれかのＰＴＲＳを送信するよう構成される、該いずれかのＰＴＲＳに対応する前記アンテナポートセットの中のアンテナポートは、上位レイヤシグナリング又はダウンリンク制御シグナリングを使用することによって通知されるか、あるいは、前もって設定される、
請求項１７乃至２４のうちいずれか一項に記載の装置。
【請求項２６】
前記前もって設定された規則は、上位レイヤシグナリング又はダウンリンク制御シグナリングを使用することによって通知されるか、あるいは、前もって設定される、
請求項１７乃至２５のうちいずれか一項に記載の装置。
【請求項２７】
前記取得モジュールが前記アップリンクグラント情報を取得する前に、前記送信モジュールは、前記ネットワークデバイスに対して、全ての前記利用可能なＰＴＲＳと前記アンテナポートセットの中のアンテナポートとの間の対応を送るよう更に構成される、
請求項１７乃至２６のうちいずれか一項に記載の装置。
【請求項２８】
前記アップリンクグラント情報は、Ｘ個のビットを有し、該Ｘ個のビットは、前記送信されるべきＰＴＲＳに関連した前記アンテナポートの番号を示すために使用される、
請求項１７乃至２７のうちいずれか一項に記載の装置。
【請求項２９】
前記Ｘビットの中のいずれのビットも、１つの送信されるべきＰＴＲＳのアンテナポートの番号を示すために使用され、前記１つの送信されるべきＰＴＲＳは、２つのアンテナポートに対応し、前記いずれのビットについても、０の値が前記２つのアンテナポートのうちの一方を示し、１の値が前記２つのアンテナポートのうちの他方を示す、
請求項２７に記載の装置。
【請求項３０】
Ｘ＝１２である、
請求項２８又は２９に記載の装置。
【請求項３１】
前記送信されるべきＰＴＲＳを送信することは、前記送信モジュールによって前記送信されるべきＰＴＲＳを、該送信されるべきＰＴＲＳに関連した前記アンテナポートに置くことである、
請求項１７乃至３０のうちいずれか一項に記載の装置。
【請求項３２】
前記アンテナポートセットは、少なくとも４つのアンテナポートを有する、
請求項１７乃至３１のうちいずれか一項に記載の装置。
【請求項３３】
位相追従参照信号（ＰＴＲＳ）送信装置であって、
プロセッサを有し、該プロセッサは、
アップリンクグラント情報を取得し、
前記アップリンクグラント情報及び前もって設定された規則に基づいて、送信されるべきＰＴＲＳに関連したアンテナポートを決定する
よう構成され、
前記送信されるべきＰＴＲＳに関連した前記アンテナポートは、アンテナポートセットから選択され、前記送信されるべきＰＴＲＳは、全ての利用可能なＰＴＲＳの中の１つ以上である、
装置。
【請求項３４】
当該装置は、メモリを更に有し、該メモリは、前記プロセッサに実行されるプログラム命令を記憶するよう構成される、
請求項３３に記載の装置。
【請求項３５】
前記アップリンクグラント情報及び前記前もって設定された規則に基づいて、前記送信されるべきＰＴＲＳ及び該送信されるべきＰＴＲＳに関連した前記アンテナポートを決定する前に、前記プロセッサは、送信されるべきＰＴＲＳの数を決定するよう更に構成される、
請求項３３又は３４に記載の装置。
【請求項３６】
前記アンテナポートセットは、スケジューリングアンテナポートセットである、
請求項３３乃至３５のうちいずれか一項に記載の装置。
【請求項３７】
前記アップリンクグラント情報は、プリコーディング符号語情報を有し、
前記前もって設定された規則は、前記プリコーディング符号語情報に対応するプリコーディング符号語の各列と、前記アンテナポートセットの中の各アンテナポートとが、一対一の対応にあり、前記プリコーディング符号語の同じ行の中の非ゼロ要素が位置している列に対応する前記アンテナポートセットの中のアンテナポートが、同じ送信されるべきＰＴＲＳに対応することを有する、
請求項３６に記載の装置。
【請求項３８】
前記プリコーディング符号語の同じ行の中の非ゼロ要素が位置している前記列は、同じグループに属し、該グループ及び前記送信されるべきＰＴＲＳは、一対一の対応にある、
請求項３７に記載の装置。
【請求項３９】
前記アップリンクグラント情報は、ランク情報を有し、該ランク情報におけるランクの値は、Ｒであり、
前記前もって設定された規則は、送信されるべきＰＴＲＳの数がｍｉｎ（Ｒ，Ｃ）、ｍｉｎ（Ｓ，Ｃ）、又はｍｉｎ（Ｑ，Ｃ）であることであり、
Ｃは、前記端末デバイスによってサポートされるＰＴＲＳの最大数、又は前記端末デバイスに対してネットワークデバイスによって設定されるＰＴＲＳの最大数であり、Ｓは、Ｒが与えられるときに前記端末デバイスによってサポートされるＰＴＲＳの最小数であり、Ｑは、Ｒが与えられるときに前記端末デバイスによってサポートされるＰＴＲＳの最大数であり、Ｃ、Ｒ、Ｓ及びＱは、正の整数である、
請求項３３に記載の装置。
【請求項４０】
全ての前記利用可能なＰＴＲＳの中のいずれのＰＴＲＳも、前記アンテナポートセットの中の２つ以上のアンテナポートに対応する、
請求項３３乃至３９のうちいずれか一項に記載の装置。
【請求項４１】
全ての前記利用可能なＰＴＲＳの中のいずれのＰＴＲＳも前記アンテナポートセットの中の２つ以上のアンテナポートに対応するという対応方法は、上位レイヤシグナリング又はダウンリンク制御シグナリングを使用することによって通知されるか、あるいは、前もって設定される、
請求項３３乃至４０のうちいずれか一項に記載の装置。
【請求項４２】
いずれかのＰＴＲＳを送信するよう構成される、該いずれかのＰＴＲＳに対応する前記アンテナポートセットの中のアンテナポートは、上位レイヤシグナリング又はダウンリンク制御シグナリングを使用することによって通知されるか、あるいは、前もって設定される、
請求項３３乃至４１のうちいずれか一項に記載の装置。
【請求項４３】
前記前もって設定された規則は、上位レイヤシグナリング又はダウンリンク制御シグナリングを使用することによって通知されるか、あるいは、前もって設定される、
請求項３３乃至４２のうちいずれか一項に記載の装置。
【請求項４４】
前記アップリンクグラント情報を取得する前に、前記プロセッサは、前記ネットワークデバイスに対して、全ての前記利用可能なＰＴＲＳと前記アンテナポートセットの中のアンテナポートとの間の対応を送るよう更に構成される、
請求項３３乃至４３のうちいずれか一項に記載の装置。
【請求項４５】
前記アップリンクグラント情報は、Ｘ個のビットを有し、該Ｘ個のビットは、Ｘ個の送信されるべきＰＴＲＳに関連したアンテナポートの番号を示すために使用される、
請求項３３乃至４４のうちいずれか一項に記載の装置。
【請求項４６】
前記Ｘビットの中のいずれのビットも、１つの送信されるべきＰＴＲＳのアンテナポートの番号を示すために使用され、前記１つの送信されるべきＰＴＲＳは、２つのアンテナポートに対応し、前記いずれのビットについても、０の値が前記２つのアンテナポートのうちの一方を示し、１の値が前記２つのアンテナポートのうちの他方を示す、
請求項４５に記載の装置。
【請求項４７】
Ｘ＝１２である、
請求項４５又は４６に記載の装置。
【請求項４８】
前記アンテナポートセットは、少なくとも４つのアンテナポートを有する、
請求項３３乃至４７のうちいずれか一項に記載の装置。
【請求項４９】
位相追従参照信号（ＰＴＲＳ）送信装置であって、
アップリンクグラント情報を取得するよう構成される入力インターフェイスと、
前記取得されたアップリンクグラント情報に基づいて請求項１乃至１６のうちいずれか一項に記載の方法を実行して、ＰＴＲＳに関連したアンテナポートを決定するよう構成される論理回路と
前記ＰＴＲＳを出力するよう構成される出力インターフェイスと
を有する装置。
【請求項５０】
請求項３３乃至４９のうちいずれか一項に記載のＰＴＲＳ送信装置と、トランシーバとを有し、
前記トランシーバは、前記送信されるべきＰＴＲＳを送信するよう構成される、
通信デバイス。
【請求項５１】
前記送信されるべきＰＴＲＳを送信することは、前記トランシーバによって前記送信されるべきＰＴＲＳを、該送信されるべきＰＴＲＳに関連したアンテナポートに置くことである、
請求項５０に記載の通信デバイス。
【請求項５２】
コンピュータプログラムを有し、
前記コンピュータプログラムは、請求項１乃至１６のうちいずれか一項に記載のＰＴＲＳ送信方法を実施するために使用される、
読み出し可能な記憶媒体。
【請求項５３】
ＰＴＲＳに関連したアンテナポートを決定するよう請求項１乃至１６のうちいずれか一項に記載の方法を実行するよう構成される通信デバイス。
【手続補正２】
【補正対象書類名】明細書
【補正対象項目名】００１０
【補正方法】変更
【補正の内容】
【００１０】
第１の態様に従って、本願は、
端末デバイスによってアップリンクグラント情報を取得することと、
端末デバイスによって、アップリンクグラント情報及び前もって設定された規則に基づいて、送信されるべきＰＴＲＳ及び該送信されるべきＰＴＲＳを運ぶアンテナポートを決定し、アンテナポートは、アンテナポートセットから選択され、送信されるべきＰＴＲＳは、全ての利用可能なＰＴＲＳの中の１つ以上である、ことと、
端末デバイスによって、送信されるべきＰＴＲＳをアンテナポートに置き、該送信されるべきＰＴＲＳを送信することと
を有する位相追従参照信号（ＰＴＲＳ）送信方法を提供する。
【手続補正３】
【補正対象書類名】明細書
【補正対象項目名】００１８
【補正方法】変更
【補正の内容】
【００１８】
可能な設計において、プリコーディング符号語は、コードブックサブセット制限（ＣＢＳＲ）の中の１つの符号語である。
【手続補正４】
【補正対象書類名】明細書
【補正対象項目名】００３４
【補正方法】変更
【補正の内容】
【００３４】
可能な設計において、プリコーディング符号語は、コードブックサブセット制限（ＣＢＳＲ）の中の１つの符号語である。
【手続補正５】
【補正対象書類名】明細書
【補正対象項目名】００４９
【補正方法】変更
【補正の内容】
【００４９】
第４の態様に従って、本願は、
アップリンクグラント情報を取得するよう構成される入力インターフェイスと、
取得されたアップリンクグラント情報に基づいて第１の態様及び第１の態様の可能な設計における方法を実行して、送信されるべきＰＴＲＳを取得するよう構成される論理回路と
ＰＴＲＳを出力するよう構成される出力インターフェイスと
を有するＰＴＲＳ送信装置を提供する。
【手続補正６】
【補正対象書類名】明細書
【補正対象項目名】００５３
【補正方法】変更
【補正の内容】
【００５３】
第６の態様に従って、本願は、コンピュータプログラムを含み、コンピュータプログラムが、第１の態様及び第１の態様の可能な設計で提供されるＰＴＲＳ送信方法を実施するために使用される、読み出し可能な記憶媒体を提供する。
【手続補正７】
【補正対象書類名】明細書
【補正対象項目名】００５８
【補正方法】変更
【補正の内容】
【００５８】
本願の実施形態で、図１（ａ）に示されるように、通信システム１００は、ネットワークデバイス１１０及び端末デバイス１１２を含む。無線通信ネットワーク１００がコアネットワークを含む場合に、ネットワークデバイス１１０は更に、コアネットワークへ接続されてよい。ネットワークデバイス１１０は更に、インターネット（Internet）、プライベートＩＰネットワーク、又は他のデータネットワークのようなＩＰネットワーク２００と通信してよい。ネットワークデバイスは、ネットワークデバイスのカバレッジエリア内にある端末デバイスにサービスを提供する。例えば、図１（ａ）を参照すると、ネットワークデバイス１１０は、ネットワークデバイス１１０のカバレッジエリア内の１つ以上の端末デバイスに無線アクセスを提供する。その上、ネットワークデバイス１１０及びネットワークデバイス１２０のようなネットワークデバイスのカバレッジエリアの間には重複エリアが存在することがある。ネットワークデバイスは更に、互いと通信してよい。例えば、ネットワークデバイス１１０は、ネットワークデバイス１２０と通信してもよい。
【手続補正８】
【補正対象書類名】明細書
【補正対象項目名】０１１７
【補正方法】変更
【補正の内容】
【０１１７】
図３に示されるＰＴＲＳ送信方法のそれと同じ発明概念に基づいて、図６に示されるように、本願の実施形態は、ＰＴＲＳ送信装置７００を更に提供する。ＰＴＲＳ送信装置７００は、図３に示されるＰＴＲＳ送信方法を実行するよう構成される。図３に示されるＰＴＲＳ送信方法におけるステップのうちの一部又は全ては、ハードウェア又はソフトウェアによって実施されてよい。ステップがハードウェアを使用することによって実施される場合に、ＰＴＲＳ送信装置７００は、アップリンクグラント情報を取得するよう構成される入力インターフェイス７０１と、図３に示されるＰＴＲＳ送信方法を実行するよう構成され、詳細については、上記の方法実施形態における記載が参照されてよく、詳細はここで再び記載されない論理回路７０２と、ＰＴＲＳを出力するよう構成される出力インターフェイス７０３とを含む。
【手続補正９】
【補正対象書類名】明細書
【補正対象項目名】０１２８
【補正方法】変更
【補正の内容】
【０１２８】
図５に示されるＰＴＲＳ受信方法のそれと同じ発明概念に基づいて、図９に示されるように、本願の実施形態は、ＰＴＲＳ受信装置１１００を更に提供する。ＰＴＲＳ受信装置１１００は、図５に示されるＰＴＲＳ受信方法を実行するよう構成される。図５に示されるＰＴＲＳ受信方法におけるステップのうちの一部又は全ては、ハードウェア又はソフトウェアによって実施されてよい。ステップがハードウェアを使用することによって実施される場合に、ＰＴＲＳ受信装置１１００は、ダウンリンクグラント情報を取得するよう構成される入力インターフェイス１１０１と、図５に示されるＰＴＲＳ受信方法を実行するよう構成され、詳細については、上記の方法実施形態における記載が参照されてよく、詳細はここで再び記載されない論理回路１１０２と、検出後に取得されたＰＴＲＳを出力するよう構成される出力インターフェイス１１０３とを含む。
【国際調査報告】
2021503818.tif 000018
2021503818.tif 000019
2021503818.tif 000020
2021503818.tif 000021